(57)【要約】【課題】  表示面を有する表示手段と、ユーザ操作を受け付ける操作受付手段と、を備える情報処理装置において、当該情報処理装置の操作性の向上を図る。【解決手段】  本発明に係る情報処理システム（１０）は、たとえばコピー機能を備えている。このコピー機能において、用紙選択画面６２０をはじめとする複数の設定画面が、予め定められた順番で１つずつ設定対象画面としてディスプレイ（４０２）の表示面上のメイン領域１２０に表示される。そして、任意の設定画面が設定対象画面としてメイン領域１２０に表示されているときに、次の設定画面がある場合には、当該次の設定画面の左側端部がメイン領域１２０の右側の余白部分に表示される。さらに、今現在の設定対象画面がユーザ操作により設定済である場合には、次の設定画面の左側端部に適当な修飾が施される。これにより、コピー機能を含む情報処理システムの操作性の向上が図られる。【選択図】図４３
2019074937.tif 000002
【特許請求の範囲】
【請求項１】
表示面を有する表示手段、
前記表示面に複数の設定画面を予め定められた順番で１つずつ設定対象画面として表示させる画面切替手段、
前記複数の設定画面のそれぞれが前記設定対象画面として前記表示面に表示されているときに当該設定対象画面に応じて行われる設定操作、を含むユーザ操作を受け付ける操作受付手段、
前記複数の設定画面のそれぞれに係る前記設定操作の全てが前記操作受付手段によって受け付けられることで、当該設定操作の内容に従う条件により所定の情報処理を行うことが可能になる情報処理手段、および
前記複数の設定画面のうち前記順番における最終の当該設定画面である最終画面以外のそれぞれの当該設定画面が前記設定対象画面として前記表示面に表示されているときに、当該順番における当該設定対象画面の次順の当該設定画面である次順画面の一部分を当該表示面に表示させる次順画面付加手段を備える、情報処理装置。
【請求項２】
前記ユーザ操作は、前記操作受付手段による前記設定操作の受付が済んでいる前記設定画面を改めて前記設定対象画面として前記表示面に表示させることを指示する第１指示操作を含み、
前記操作受付手段によって前記第１指示操作が受け付けられたときに、当該第１指示操作に対応する前記設定画面を改めて前記設定対象画面として前記表示面に表示させるように当該設定対象画面を変更する第１変更手段をさらに備え、
前記次順画面付加手段は、前記次順画面について前記操作受付手段による前記設定操作の受付が済んでいるかどうかに応じた態様で当該次順画面の前記一部分を前記表示面に表示させる、請求項１に記載の情報処理装置。
【請求項３】
前記ユーザ操作は、前記最終画面以外のいずれかの前記設定画面が前記設定対象画面として前記表示面に表示されており、かつ、当該設定対象画面について前記操作受付手段による前記設定操作の受付が済んでいる場合に、前記次順画面を改めて当該設定対象画面として当該表示面に表示させることを指示する第２指示操作を含み、
前記操作受付手段によって前記第２指示操作が受け付けられたときに、前記次順画面を改めて前記設定対象画面として前記表示面に表示させるように当該設定対象画面を変更する第２変更手段をさらに備える、請求項２に記載の情報処理装置。
【請求項４】
前記操作受付手段は、前記表示面に表示されるとともに前記第２指示操作を受付可能な次順操作子を含み、
前記次順操作子は、前記設定対象画面について前記操作受付手段による前記設定操作の受付が済んでいるかどうかに応じた態様で表示される、請求項３に記載の情報処理装置。
【請求項５】
前記複数の設定画面のうち前記順番における最初の前記設定画面である先頭画面以外のそれぞれの当該設定画面が前記設定対象画面として前記表示面に表示されているときに、当該順番における当該設定対象画面の前順の当該設定画面である前順画面の一部分を当該表示面に表示させる前順画面付加手段をさらに備える、請求項１から４のいずれかに記載の情報処理装置。
【請求項６】
前記第１指示操作は、前記先頭画面以外のいずれかの前記設定画面が前記設定対象画面として前記表示面に表示されている場合に、前記前順画面を改めて当該設定対象画面として当該表示面に表示させることを指示する第３指示操作を含み、
前記操作受付手段は、前記表示面に表示されるとともに前記第３指示操作を受付可能な前順操作子を含む、請求項５に記載の情報処理装置。
【請求項７】
前記複数の設定画面のいずれについて前記操作受付手段による前記設定操作の受付が済んでいるのかを表す状況表示子を前記表示面に表示させる状況表示子付加手段をさらに備える、請求項１から６のいずれかに記載の情報処理装置。
【請求項８】
前記状況表示子付加手段は、前記複数の設定画面のいずれが前記設定対象画面として前記表示面に表示されているのかを前記状況表示子の態様によって表す、請求項７に記載の情報処理装置。
【請求項９】
前記状況表示子は、前記操作受付手段の一部として前記第１指示操作を受付可能である、請求項８に記載の情報処理装置。
【請求項１０】
前記操作受付手段は、前記表示面上に設けられたタッチパネルを含む、請求項１から９のいずれかに記載の情報処理装置。
【請求項１１】
表示面を有する表示手段、およびユーザ操作を受け付ける操作受付手段を備え、所定の情報処理を行う情報処理装置用の情報処理プログラムであって、
前記情報処理装置のコンピュータに、前記表示面に複数の設定画面を予め定められた順番で１つずつ設定対象画面として表示させる画面切替手順を実行させ、
前記ユーザ操作は、前記複数の設定画面のそれぞれが前記設定対象画面として前記表示面に表示されているときに当該設定対象画面に応じて行われる設定操作を含み、さらに
前記コンピュータに、前記複数の設定画面のそれぞれに係る前記設定操作の全てが前記操作受付手段によって受け付けられることで、当該設定操作の内容に従う条件により所定の情報処理を行うことが可能になる情報処理手順、および
前記複数の設定画面のうち前記順番における最終の当該設定画面である最終画面以外のそれぞれの当該設定画面が前記設定対象画面として前記表示面に表示されているときに、当該順番における当該設定対象画面の次順の当該設定画面である次順画面の一部分を当該表示面に表示させる次順画面付加手順を実行させる、情報処理プログラム。
【請求項１２】
表示面を有する表示手段、およびユーザ操作を受け付ける操作受付手段を備え、所定の情報処理を行う情報処理装置における情報処理方法であって、
前記表示面に複数の設定画面を予め定められた順番で１つずつ設定対象画面として表示させる画面切替ステップを備え、
前記ユーザ操作は、前記複数の設定画面のそれぞれが前記設定対象画面として前記表示面に表示されているときに当該設定対象画面に応じて行われる設定操作を含み、さらに
前記複数の設定画面のそれぞれに係る前記設定操作の全てが前記操作受付手段によって受け付けられることで、当該設定操作の内容に従う条件により所定の情報処理を行うことが可能になる情報処理ステップ、および
前記複数の設定画面のうち前記順番における最終の当該設定画面である最終画面以外のそれぞれの当該設定画面が前記設定対象画面として前記表示面に表示されているときに、当該順番における当該設定対象画面の次順の当該設定画面である次順画面の一部分を当該表示面に表示させる次順画面付加ステップを備える、情報処理方法。
【請求項１３】
請求項１から１０のいずれかに記載の情報処理装置、およびシートに画像を形成する画像形成処理を実行可能な画像形成装置を備える情報処理システムであって、
前記所定の情報処理は、前記画像形成装置に前記画像形成処理を実行させることを命令する画像形成命令処理を含む、情報処理システム。
【発明の詳細な説明】
【技術分野】
【０００１】
本発明は、情報処理装置、情報処理プログラム、情報処理方法および情報処理システムに関し、特に、表示面を有する表示手段と、ユーザ操作を受け付ける操作受付手段と、を備える情報処理装置、当該情報処理装置に係る情報処理プログラム、情報処理方法および情報処理システムに関する。
【背景技術】
【０００２】
この種の情報処理装置の一例が、特許文献１に開示されている。この特許文献１には、表示手段としての液晶ディスプレイ（ＬＣＤ）と、この液晶ディスプレイの表示面上に設けられた操作受付手段としてのタッチパネルと、を備える複合機に、当該情報処理装置が適用された一例が開示されている。この特許文献１に開示された複合機によれば、たとえば当該複合機のハードディスクドライブ（ＨＤＤ）に格納されている文書ファイルに基づく印刷処理を行うことができる。この場合、液晶ディスプレイの表示面に、メニュー画面、格納文書選択画面、文書一覧表示画面およびプリント設定画面という複数の設定画面（ユーザインターフェース画面）が、この順番で１つずつ表示される。そして、それぞれの設定画面について、ユーザ操作としての適宜の設定操作が行われることにより、当該設定操作の内容に従う条件による印刷処理が行われる（特にその［００５５］〜［００７１］、図４、図１１〜図１８参照）。
【先行技術文献】
【特許文献】
【０００３】
【特許文献１】特開２００９−１９６１８０号公報
【発明の概要】
【発明が解決しようとする課題】
【０００４】
ところで、この特許文献１に開示された複合機においては、前述の如く各設定画面について適宜の設定操作が行われるが、この設定操作を行うユーザにとって、当該設定操作がまだ続くのかどうか、分からないことがある。この傾向は、ユーザが複合機の操作に慣れていない場合に、たとえば当該複合機が不特定多数のユーザによって操作されるスーパーマーケットやコンビニエンスストアなどの環境に設置されている場合に、顕著になる。したがってたとえば、ユーザにとってまだ設定操作が続くのかどうかが分かれば、操作性が向上するものと期待される。
【０００５】
本発明は、操作性を向上させることができる情報処理装置、情報処理方法、情報処理プログラムおよび情報処理システムを提供することを、目的とする。
【課題を解決するための手段】
【０００６】
本発明のうちの第１の発明は、情報処理装置に係る発明であって、表示手段、画面切替手段、操作受付手段、情報処理手段および次順画面付加手段を備える。表示手段は、表示面を有する。画面切替手段は、表示手段の表示面に複数の設定画面を予め定められた順番で１つずつ設定対象画面として表示させる。操作受付手段は、ユーザ操作を受け付ける。このユーザ操作には、各設定画面のそれぞれが設定対象画面として表示手段の表示面に表示されているときに当該設定対象画面に応じて行われる設定操作が含まれる。情報処理手段は、各設定画面のそれぞれに係る設定操作の全てが操作受付手段によって受け付けられることで、当該設定操作の内容に従う条件により所定の情報処理を行うことが可能になる。次順画面付加手段は、各設定画面のうち前述の順番における最終の設定画面である最終画面以外のそれぞれの設定画面が、設定対象画面として表示手段の表示面に表示されているときに、当該順番における設定対象画面の次順の設定画面である次順画面の一部分を、当該表示手段の表示面に表示させる。
【０００７】
すなわち、本第１の発明によれば、表示手段の表示面に複数の設定画面が予め定められた順番で１つずつ設定対象画面として表示される。そして、それぞれの設定画面が設定対象画面として表示手段の表示面に表示されているときに当該設定対象画面に応じて行われる設定操作が、操作受付手段によって受け付けられる。ここで、最終画面以外のそれぞれの設定画面が、設定対象画面として表示手段の表示面に表示されているときに、次順画面の一部分が、当該表示手段の表示面に表示される。したがって、ユーザは、この次順画面の一部分が表示手段の表示面に表示されているかどうかから、次順画面が存在するかどうかを、つまり設定操作がまだ続くのかどうかを、直観的に認識することができる。そして、各設定画面のそれぞれに係る設定操作の全てが操作受付手段によって受け付けられることで、つまり当該各設定画面の全てについて操作受付手段による設定操作の受付が済むことで、当該設定操作の内容に従う条件により所定の情報処理が行われる。
【０００８】
なお、本第１の発明において、ユーザ操作は、第１指示操作を含んでもよい。この第１指示操作は、操作受付手段による設定操作の受付が済んでいる設定画面を改めて設定対象画面として表示手段の表示面に表示させることを指示する操作である。その上で、第１変更手段が、さらに備えられてもよい。この第１変更手段は、操作受付手段によって第１指示操作が受け付けられたときに、この第１指示操作に対応する設定画面を改めて設定対象画面として表示手段の表示面に表示させるように、当該設定対象画面を変更する。この場合、次順画面付加手段は、次順画面について操作受付手段による設定操作の受付が済んでいるかどうかに応じた態様で、当該次順画面の一部分を表示手段の表示面に表示させるものとする。この構成によれば、操作受付手段によって第１指示操作が受け付けられると、この第１指示操作に対応する設定画面が、つまり操作受付手段による設定操作の受付が済んだ言わば設定済の設定画面が、改めて設定対象画面として表示手段の表示面に表示される。言い換えれば、設定済の設定画面が設定対象画面として表示手段の表示面に表示される状態に戻る。このときも、次順画面の一部分が表示手段の表示面に表示される。しかも、この次順画面の一部分は、当該次順画面が設定済であるかどうかに応じた態様で表示される。したがって、ユーザは、この次順画面の一部分の表示態様から、当該次順画面が設定済であるかどうかを直観的に認識することができる。
【０００９】
また、ユーザ操作は、第２指示操作を含んでもよい。この第２指示操作は、最終画面以外のいずれかの設定画面が設定対象画面として表示されており、かつ、当該設定対象画面が設定済である場合に、次順画面を改めて当該設定対象画面として示させることを指示する操作である。その上で、第２変更手段が、さらに備えられてもよい。この第２変更手段は、操作受付手段によって第２指示操作が受け付けられたときに、次順画面を改めて設定対象画面として表示させるように、当該設定対象画面を変更する。この構成によれば、操作受付手段によって第２指示操作が受け付けられると、次順画面が、改めて設定対象画面として表示される。すなわち、設定対象画面が設定済である場合には、当該設定対象画面についての設定操作が行われなくとも、第２指示操作が行われることによって、次順画面が、改めて設定対象画面として表示される。
【００１０】
そして、このようにユーザ操作が第２指示操作を含む場合には、操作受付手段は、次順操作子を含んでもよい。この次順操作子は、表示手段の表示面に表示されるとともに、第２指示操作を受付可能である。併せて、次順操作子は、設定対象画面が設定済であるかどうかに応じた態様で表示される。この構成によれば、次順操作子によって第２指示操作が受け付けられたときに、次順画面が、改めて設定対象画面として表示される。併せて、ユーザは、この次順表示子の表示態様から、今現在の設定対象画面が設定済であるかどうかを、直観的に認識することができる。別の観点から言えば、この次順表示子の表示態様は、当該次順表示子が第２指示操作を受付可能な状態にあるかどうかを表す。したがって、ユーザは、この次順表示子の表示態様から、当該次順表示子が第２指示操作を受付可能な状態にあるかどうかを、言わば当該次順表示子が有効であるのかどうかを、直観的に認識することができる。
【００１１】
加えて、本第１の発明においては、前順画面付加手段が、さらに備えられてもよい。この前順画面付加手段は、各設定画面のうち前述の順番における最初の設定画面である先頭画面以外のそれぞれの設定画面が、設定対象画面として表示手段の表示面に表示されているときに、当該順番における設定対象画面の前順の設定画面である前順画面の一部分を、当該表示手段の表示面に表示させる。この構成によれば、先頭画面以外のそれぞれの設定画面が、設定対象画面として表示手段の表示面に表示されているときに、前順画面の一部分が、当該表示手段の表示面に表示される。したがって、ユーザは、この前順画面の一部分が表示手段の表示面に表示されているかどうかから、前順画面が存在するかどうかを、直観的に認識することができる。
【００１２】
このような前順画面付加手段が備えられる構成において、前述の第１指示操作は、先頭画面以外のいずれかの設定画面が設定対象画面として表示手段の表示面に表示されている場合に、前順画面を改めて設定対象画面として当該表示手段の表示面に表示させることを指示する第３指示操作を含むものであってもよい。併せて、操作受付手段は、前順操作子を含んでもよい。この前順操作子は、表示手段の表示面に表示されるとともに、第３指示操作を受付可能である。この構成によれば、前順操作子によって第３指示操作が受け付けられたときに、前順画面が、改めて設定対象画面として表示される。すなわち、設定済の前順画面が設定対象画面として表示手段の表示面に表示される状態に戻る。
【００１３】
さらに、本第１の発明においては、状況表示子付加手段が、備えられてもよい。この状況表示子付加手段は、各設定画面のいずれについて操作受付手段による設定操作の受付が済んでいるのか、つまり各設定画面のいずれについて設定済であるのか、の状況を表す状況表示子を、表示手段の表示面に表示させる。この構成によれば、ユーザは、状況表示子を参照することで、各設定画面のいずれについて設定済であるのかを、直観的に認識することができる。
【００１４】
この場合、状況表示子付加手段は、各設定画面のいずれが設定対象画面として表示されているのかを、状況表示子の態様によって表してもよい。この構成によれば、ユーザは、状況表示子の表示態様から今現在、各設定画面のいずれが設定対象画面として表示されているのかを、直観的に認識することができる。
【００１５】
また、状況表示子は、操作受付手段の一部として第１指示操作を受付可能であってもよい。この構成によれば、状況表示子によって第１指示操作が受け付けられると、当該第１指示操作に対応する設定画面、たとえば状況表示子における当該第１指示操作の受付位置に対応する設定画面が、改めて設定対象画面として表示される。
【００１６】
そして、操作受付手段は、表示手段の表示面上に設けられたタッチパネルを含むものであってもよい。この構成によれば、表示手段の表示面上に設けられたタッチパネルによって設定操作を含むユーザ操作が受け付けられる。
【００１７】
本発明のうちの第２の発明は、情報処理装置用の情報処理プログラムであって、当該情報処理装置のコンピュータに、画面切替手順、情報処理手順および次順画面付加手順を実行させる。ここで、情報処理装置は、表示面を有する表示手段を備える。そして、画面切替手順においては、表示手段の表示面に複数の設定画面が予め定められた順番で１つずつ設定対象画面として表示される。また、情報処理装置は、ユーザ操作を受け付ける操作受付手段を備える。この操作受付手段によって受け付けられるユーザ操作には、各設定画面のそれぞれが設定対象画面として表示手段の表示面に表示されているときに当該設定対象画面に応じて行われる設定操作が含まれる。そして、情報処理手順においては、各設定画面のそれぞれに係る設定操作の全てが操作受付手段によって受け付けられることで、当該設定操作の内容に従う条件により所定の情報処理を行うことが可能になる。さらに、次順画面付加手順においては、各設定画面のうち前述の順番における最終の設定画面である最終画面以外のそれぞれの設定画面が、設定対象画面として表示手段の表示面に表示されているときに、当該順番における設定対象画面の次順の設定画面である次順画面の一部分が、当該表示手段の表示面に表示される。
【００１８】
すなわち、本第２の発明は、情報処理装置に係る第１の発明に対応するプログラムに係る発明である。したがって、本第２の発明によれば、第１の発明と同様、最終画面以外のそれぞれの設定画面が、設定対象画面として表示手段の表示面に表示されているときに、次順画面の一部分が、当該表示手段の表示面に表示される。ゆえに、ユーザは、この次順画面の一部分が表示手段の表示面に表示されているかどうかから、次順画面が存在するかどうかを、つまり設定操作がまだ続くのかどうかを、直観的に認識することができる。
【００１９】
本発明のうちの第３の発明は、情報処理装置における情報処理方法であって、画面切替ステップ、情報処理ステップおよび次順画面付加ステップを備える。ここで、情報処理装置は、表示面を有する表示手段を備える。そして、画面切替ステップにおいては、表示手段の表示面に複数の設定画面が予め定められた順番で１つずつ設定対象画面として表示される。また、情報処理装置は、ユーザ操作を受け付ける操作受付手段を備える。この操作受付手段によって受け付けられるユーザ操作には、各設定画面のそれぞれが設定対象画面として表示手段の表示面に表示されているときに当該設定対象画面に応じて行われる設定操作が含まれる。そして、情報処理ステップにおいては、各設定画面のそれぞれに係る設定操作の全てが操作受付手段によって受け付けられることで、当該設定操作の内容に従う条件により所定の情報処理を行うことが可能になる。さらに、次順画面付加ステップにおいては、各設定画面のうち前述の順番における最終の設定画面である最終画面以外のそれぞれの設定画面が、設定対象画面として表示手段の表示面に表示されているときに、当該順番における設定対象画面の次順の設定画面である次順画面の一部分が、当該表示手段の表示面に表示される。
【００２０】
すなわち、本第３の発明は、第１の発明に対応する方法に係る発明である。したがって、本第３の発明によっても、第１発明と同様、最終画面以外のそれぞれの設定画面が、設定対象画面として表示手段の表示面に表示されているときに、次順画面の一部分が、当該表示手段の表示面に表示される。ゆえに、ユーザは、この次順画面の一部分が表示手段の表示面に表示されているかどうかから、次順画面が存在するかどうかを、つまり設定操作がまだ続くのかどうかを、直観的に認識することができる。
【００２１】
本発明のうちの第４発明は、第１発明の情報処理装置を備える情報処理システムであって、画像形成装置をさらに備える。ここで、画像形成装置は、シートに画像を形成する画像形成処理を実行可能である。そして、情報処理装置が備える情報処理手段が実行可能な所定の情報処理は、画像形成装置に画像形成処理を実行させることを命令する画像形成命令処理を含む。
【００２２】
したがって、本第４発明によっても、第１発明と同様、最終画面以外のそれぞれの設定画面が、設定対象画面として表示手段の表示面に表示されているときに、次順画面の一部分が、当該表示手段の表示面に表示される。ゆえに、ユーザは、この次順画面の一部分が表示手段の表示面に表示されているかどうかから、次順画面が存在するかどうかを、つまり設定操作がまだ続くのかどうかを、直観的に認識することができる。
【発明の効果】
【００２３】
このように本発明によれば、ユーザは、表示手段の表示画面に次順画面の一部分が表示されているかどうかから、次順画面が存在するかどうかを、つまり設定操作がまだ続くのかどうかを、直観的に認識することができる。このことは、情報処理装置および当該情報処理装置を備える情報処理システムにおいて、その操作性の向上に大きく貢献する。
【図面の簡単な説明】
【００２４】
【図１】図１は、本発明の第１実施例に係る情報処理システムの全体の外観図である。
【図２】図２は、図１における情報処理装置の電気的な構成を示すブロック図である。
【図３】図３は、図１における画像形成装置の電気的な構成を示すブロック図である。
【図４】図４は、情報処理装置のディスプレイに表示されるホーム画面の一例を示す図である。
【図５】図５は、情報処理装置のディスプレイに表示される待機画面の一例を示す図である。
【図６】図６は、待機画面の態様が変化する過程の一例を示す図である。
【図７】図７は、待機画面が別の態様にあるときの一例を示す図である。
【図８】図８は、待機画面の態様が変化する別の過程の一例を示す図である。
【図９】図９は、待機画面がさらに別の態様にあるときの一例を示す図である。
【図１０】図１０は、情報処理装置のＲＡＭのメモリマップの一例を示す図である。
【図１１】図１１は、情報処理装置のＲＡＭに記憶されている広告画像データの詳細の一例を示す図である。
【図１２】図１２は、情報処理装置のＣＰＵが実行する待機画面制御処理の一例の一部分を示すフロー図である。
【図１３】図１３は、待機画面制御処理の一例の残りの部分を示すフロー図である。
【図１４】図１４は、情報処理装置のディスプレイに表示されるかんたんコピーメニュー画面を含むコピー受付画面の一例を示す図である。
【図１５】図１５は、かんたんコピーメニュー画面の表示態様が変化した状態の一例を示す図である。
【図１６】図１６は、コピー受付画面のメイン領域に用紙選択画面がスライドインされる状態の一例を示す図である。
【図１７】図１７は、用紙選択画面の一例を示す図である。
【図１８】図１８は、用紙選択画面の表示態様が変化した状態の一例を示す図である。
【図１９】図１９は、コピー受付画面のメイン領域に設定確認画面がスライドインされる状態の一例を示す図である。
【図２０】図２０は、設定確認画面の一例を示す図である。
【図２１】図２１は、コピー受付画面のメイン領域に１枚目原稿読み込み画面がスライドインされる状態の一例を示す図である。
【図２２】図２２は、１枚目原稿読み込み画面の一例を示す図である。
【図２３】図２３は、コピー受付画面のメイン領域に２枚目原稿読み込み画面がスライドインされる状態の一例を示す図である。
【図２４】図２４は、２枚目原稿読み込み画面の一例を示す図である。
【図２５】図２５は、コピー受付画面のメイン領域に最終確認画面がスライドインされる状態の一例を示す図である。
【図２６】図２６は、最終確認画面の一例を示す図である。
【図２７】図２７は、コピー受付画面のメイン領域に決済方法選択画面がスライドインされる状態の一例を示す図である。
【図２８】図２８は、決済方法選択画面の一例を示す図である。
【図２９】図２９は、決済方法選択画面の表示態様が変化した状態の一例を示す図である。
【図３０】図３０は、コピー受付画面のメイン領域に決済処理画面がスライドインされる状態の一例を示す図である。
【図３１】図３１は、決済処理画面の一例を示す図である。
【図３２】図３３は、コピー受付画面のメイン領域に印刷中画面がスライドインされる状態の一例を示す図である。
【図３３】図３３は、印刷中画面の一例を示す図である。
【図３４】図３４は、コピー受付画面のメイン領域に印刷完了画面がスライドインされる状態の一例を示す図である。
【図３５】図３５は、印刷完了画面の一例を示す図である。
【図３６】図３６は、コピー受付画面のメイン領域に表示される画面の切替に係る画面切替制御の仕組を概念的に示す図である。
【図３７】図３７は、画面切替制御の仕組を概念的に示す別の図である。
【図３８】図３８は、画面切替制御の仕組を概念的に示すさらに別の図である。
【図３９】図３９は、画面切替制御の仕組を概念的に示すさらに別の図である。
【図４０】図４０は、画面切替制御の仕組を概念的に示すさらに別の図である。
【図４１】図４１は、画面切替制御の仕組を概念的に示すさらに別の図である。
【図４２】図４２は、画面切替制御の仕組を概念的に示すさらに別の図である。
【図４３】図４３は、画面切替制御の仕組を概念的に示すさらに別の図である。
【図４４】図４４は、情報処理装置のＣＰＵが実行する画面切替制御処理の一例の一部分を示すフロー図である。
【図４５】図４５は、画面切替制御処理の一例の別の部分を示すフロー図である。
【図４６】図４６は、画面切替制御処理の一例の残りの部分を示すフロー図である。
【図４７】図４７は、情報処理装置のＣＰＵが実行する進行状況表示処理の一例を示すフロー図である。
【図４８】図４８は、最終確認画面上に表示されるメッセージ画面の一例を示す図である。
【図４９】図４９は、決済方法選択画面の別の例を示す図である。
【図５０】図５０は、決済処理画面の別の例を示す図である。
【図５１】図５１は、本発明の第２実施例に係る用紙選択画面を含むコピー受付画面の一例を示す図である。
【図５２】図５２は、本発明の第３実施例に係る用紙選択画面を含むコピー受付画面の一例を示す図である。
【図５３】図５３は、用紙選択画面を含むコピー受付画面の別の態様の一例を示す図である。
【図５４】図５４は、用紙選択画面を含むコピー受付画面のさらに別の態様の一例を示す図である。
【図５５】図５５は、１枚目原稿読み込み画面を含むコピー受付画面の一例を示す図である。
【発明を実施するための形態】
【００２５】
［第１実施例］
図１は、本発明の第１実施例に係る情報処理システム１０の外観図である。この情報処理システム１０は、情報処理装置２０および画像形成装置３０を含む。以下の説明では、図１に示される如く情報処理システム１０が使用可能に設置された状態を基準として、その上下方向を規定する。そして、図１において手前に向けられている面を情報処理システム１０の前面として、その前後方向を規定する。この情報処理システム１０の前方側は、当該情報処理システム１０を利用する不図示のユーザの立ち位置に当たる。そして、このユーザの立ち位置である情報処理システム１０の前方側から見て、当該情報処理システム１０の左右方向を規定する。
【００２６】
情報処理装置２０は、たとえばＭＭＫである。この情報処理装置２０は、チケットの購入や公共料金の支払い、デジタルコンテンツのダウンロードなど、様々なサービスをユーザに提供する機能を備えている。併せて、情報処理装置２０は、画像形成装置３０と協働して、後述するコピーサービス、プリントサービス、スキャンサービス、ファクスサービスなどの所定のサービスをユーザに提供することもできる。
【００２７】
情報処理装置２０は、タッチパネル２０２付きのディスプレイ２０４、記録媒体接続部２０６、紙片用プリンタ２０８、符号読取部２１０、近距離通信部２１２、貨幣処理部２１４および写真用プリンタ２１６を含む装置本体２１８を備える。
【００２８】
タッチパネル２０２付きのディスプレイ２０４は、装置本体２１８の上部に配置される。タッチパネル２０２は、たとえば静電容量方式のものであり、本発明に係る操作受付手段の一例である。ディスプレイ２０４は、たとえば液晶ディスプレイ（ＬＣＤ）であり、本発明に係る表示手段の一例である。そして、このディスプレイ２０４の矩形状の表示面上に、タッチパネル２０２が設けられる。なお、タッチパネル２０２は、静電容量方式のものに限らず、電磁誘導方式、抵抗膜方式、赤外線方式などの任意の方式のものであってもよい。また、ディスプレイ２０４は、液晶ディスプレイに限らず、有機エレクトロルミネッセンス（ＥＬ）ディスプレイなどであってもよい。さらに、タッチパネル２０２付きのディスプレイ２０４に代えて、タッチパネル２０２とディスプレイ２０４とが一体的に形成されたタッチパネルディスプレイが用いられてもよい。
【００２９】
記録媒体接続部２０６は、不図示の各種の情報記録媒体を装着するための装着部、たとえばディスクドライブおよびメモリスロットを含む。ここで言う情報記録媒体としては、ＣＤ−Ｒ（Compact Disc-Recordable）、ＤＶＤ−Ｒ（DVD-Recordable）、ＢＤ−Ｒ（Blu-ray Disc（登録商標）-Recordable）などの光ディスクがある。これ以外の情報記録媒体として、ＵＳＢ（Universal Serial Bus）メモリ、ＳＤ（Secure Digital）メモリカード、メモリースティック（登録商標）などのフラッシュメモリがある。光ディスクは、ディスクドライブに装着され、フラッシュメモリは、メモリスロットに装着される。
【００３０】
紙片用プリンタ２０８は、たとえばサーマル（感熱式）プリンタまたはドットインパクトプリンタであり、レシート、ジャーナル、クーポン券などの画像が印刷された不図示の紙片を発行する。具体的には、紙片用プリンタ２０８は、ロール紙上に各種の文字列、画像、コードパターン（たとえばバーコード）などを印刷し、印刷済の紙片を排紙部２０８ａから排出する。
【００３１】
符号読取部２１０は、たとえば不図示のレーザスキャナまたはカメラを含み、当該レーザスキャナまたはカメラを用いて不図示の商品、カード、レシートなどに付された符号を読み取ることが可能である。また、符号読取部２１０は、不図示のスマートフォンなどのユーザ端末（携帯端末）の表示面に表示された符号を読み取ることもできる。この符号読取部２１０によって読み取ることができる符号として、１次元コード（バーコード）があり、また、ＱＲ（Quick Response）コード（登録商標）などの２次元コードがある。
【００３２】
近距離通信部２１２は、たとえばＩＳＯ／ＩＥＣ１８０９２（いわゆるＮＦＣ：Near Field Communication）などの無線通信規格に従って、不図示のＩＣカードやユーザ端末などの通信対象との間で無線による非接触のデータ通信を行うものである。この近距離通信部２１２による通信対象との通信可能距離は、数ｃｍ〜数十ｃｍ程度である。この近距離通信部２１２は、通信対象に対して、当該通信対象に記憶されたデータの読み出しを指示する信号を送信し、いわゆる読出し命令を出す。通信対象は、この読出し命令に対する応答として、当該読み出し命令に従うデータを近距離通信部２１２に送信する。また、近距離通信部２１２は、通信対象に対して、当該通信対象に特定のデータを書き込むことを指示する信号を送信し、いわゆる書き込み命令を出す。併せて、近距離通信部２１２は、この書き込み命令に従う特定のデータ、いわゆる書き込みデータを、通信対象に送信する。通信対象は、書き込み命令に従って、当該書き込み命令に従う書き込みデータを自身の記憶部に記憶する。
【００３３】
貨幣処理部２１４は、貨幣投入部２１４ａおよび硬貨返却口２１４ｂを含む。貨幣投入部２１４ａは、硬貨投入口、紙幣投入口および釣銭返却レバーを含み、たとえば近距離通信部２１２の下方に配置される。硬貨投入口から投入された硬貨および紙幣投入口から投入された紙幣のそれぞれは、その種類（額面）ごとに分類されて不図示の貨幣格納部に収容される。貨幣格納部は、硬貨用の格納部および紙幣用の格納部を含む。この硬貨用の格納部に収容された硬貨の種類および枚数と、紙幣用の格納部に収容された紙幣の種類および枚数とに応じて、投入金額が算出される。情報処理装置２０において所定のサービスが実行されると、そのサービスの内容に応じた費用が投入金額から減算され、この減算後の残高が算出される。そして、釣銭返却レバーが操作されると、投入金額の残高に応じて、硬貨または紙幣が返却される。なお、硬貨は、硬貨返却口２１４ｂから返却され、紙幣は、紙幣投入口から返却される。硬貨返却口２１４ｂは、たとえば貨幣投入部２１４ａの下方に設けられる。
【００３４】
写真用プリンタ２１６は、たとえば昇華型プリンタまたはインクジェットプリンタであり、不図示の写真用シート上に画像を形成し、つまり印刷する。この写真用プリンタ２１６による印刷後のシートは、排出部２１６ａに排出される。なお、この写真用プリンタ２１６によって印刷される画像のデータは、記録媒体接続部２０６に接続された記録媒体に記憶されている画像データや、不図示の外部コンピュータから送信されてくる画像データなどである。また、写真用シートのサイズとして、Ｌ判サイズ、はがきサイズ、２Ｌ判サイズなどがある。
【００３５】
図２は、情報処理装置２０の電気的な構成を示すブロック図である。この図２に示されるように、情報処理装置２０はＣＰＵ（Central Processing Unit）２２０を含む。このＣＰＵ２２０には、バス２２２を介して前述の記録媒体接続部２０６、紙片用プリンタ２０８、符号読取部２１０、近距離通信部２１２、貨幣処理部２１４および写真用プリンタ２１６が接続される。併せて、ＣＰＵ２２０には、バス２２２を介してタッチパネル制御回路２２４および表示制御回路２２６が接続される。そして、タッチパネル制御回路２２４にタッチパネル２０２が接続され、表示制御回路２２６にディスプレイ２０４が接続される。さらに、ＣＰＵ２２０には、バス２２２を介してＲＡＭ（Random Access Memory）２２８、ＲＯＭ（Read Only Memory）２３０および通信回路２３２が接続される。
【００３６】
ＣＰＵ２２０は、情報処理装置２０の全体的な制御を司る。ＲＡＭ２２８は、ＣＰＵ２２０のワーク領域およびバッファ領域として用いられる。ＲＯＭ２３０は、後述する情報処理プログラム５２０を記憶する。また、ＲＯＭ２３０には、後述する広告切替期間Ｔａに係る情報などの各種情報のデフォルト値が記憶されている。なお、ＲＡＭ２２８およびＲＯＭ２３０は、情報処理装置２０の主記憶装置である。これ以外にも、フラッシュメモリやＥＥＰＲＯＭ（Electrically Erasable Programmable Read-Only Memory：登録商標）などの補助記憶装置が設けられてもよい。
【００３７】
タッチパネル制御回路２２４は、タッチパネル２０２に必要な駆動電圧などを付与する。併せて、タッチパネル制御回路２２４は、タッチパネル２０２のタッチ有効領域内でのタッチ操作を検出して、そのタッチ位置を表すタッチ座標データを時系列でＣＰＵ２２０に入力する。
【００３８】
表示制御回路２２６は、ＧＰＵ（Graphics Processing Unit）およびＶＲＡＭ（Video RAM）を含む。ＧＰＵは、ＣＰＵ２２０による指示の下、ＲＡＭ２２８に記憶された後述する画像生成データ５４２を用いてディスプレイ２０４に種々の画像を表示するための表示画像データをＶＲＡＭに生成する。このＶＲＡＭに生成された表示画像データは、ディスプレイ２０４に入力される。
【００３９】
通信回路２３２は、インターネットなどの不図示のネットワークとの接続を担う回路である。この通信回路２３２は、有線通信回路または無線通信回路であり、ＣＰＵ２２０による指示に従って、ネットワークを介して不図示のサーバなどの外部コンピュータと双方向通信を行う。また、この通信回路２３２は、画像形成装置３０との間で、厳密には当該画像形成装置３０側の後述する通信回路３２０との間で、双方向通信を行うことも可能である。さらに、通信回路２３２は、前述のユーザ端末との間で、直接的に双方向通信を行うことも可能であり、とりわけ赤外線方式やＷｉ−Ｆｉ（登録商標）方式、ブルートゥース（登録商標）方式などの無線方式により当該双方向通信を行うことが可能である。
【００４０】
図１に戻って、画像形成装置３０は、コピー機能、プリンタ機能、スキャナ機能、ファクシミリ機能などを有する複合機である。この画像形成装置３０は、画像読取部３０２、画像形成部３０４、給紙装置３０６および排紙トレイ３０８を含む装置本体３１０を備える。なお、この画像形成装置３０は、情報処理装置２０の近傍に設置され、たとえば当該情報処理装置２０の右方に隣接して設けられる。
【００４１】
画像読取部３０２は、不図示のガラスなどの透明材によって形成される原稿載置台を備えており、装置本体３１０の上部に内蔵される。また、原稿載置台の上方には、ヒンジ等を介して原稿押えカバー３０２ａが開閉自在に取り付けられる。この画像読取部３０２は、原稿載置台に載置される不図示の原稿の画像を読み取る画像読取処理を担う。そのために、この画像読取部３０２は、不図示の光源、複数のミラー、結像レンズ、ラインセンサなどを備える。この画像読取部３０２によれば、原稿の表面が光源によって露光され、当該原稿の表面から反射した反射光が複数のミラーによって結像レンズに導かれる。そして、結像レンズに導かれた反射光は、当該結像レンズによってラインセンサの受光面に結像される。ラインセンサは、その受光面に結像された反射光の光量を検出し、当該ラインセンサの画素ごとの検出値を表す画像データを生成する。なお、ラインセンサとしては、ＣＣＤ（Charge Coupled Device）やＣＩＳ（Contact Image Sensor）などが用いられる。
【００４２】
画像形成部３０４は、画像読取部３０２の下方に設けられ、装置本体３１０に内蔵される。この画像形成部３０４は、給紙装置３０６から搬送される不図示の画像記録媒体としてのシート（用紙）上に電子写真方式によって画像を形成する画像形成処理を担う。そのために、画像形成部３０４は、不図示の感光体ドラム、帯電装置、露光装置、現像装置、転写装置、定着装置などを備える。この画像形成部３０４によって画像が形成された後のシート、つまり印刷後のシートは、排紙トレイ３０８に排出される。なお、排紙トレイ３０８は、たとえば画像読取部３０２と画像形成部３０４との間に設けられる。この画像形成部３０４による画像形成処理に供される画像データとしては、画像読取部３０２によって読み取られた画像データ、情報処理装置２０から送信されてくる画像データ、外部コンピュータから送信されてくる画像データなどがある。また、画像記録媒体としてのシートは、普通紙や厚紙などの用紙に限らず、ＯＨＰフィルムなどの紙以外のシートである場合もある。画像形成部３０４は、電子写真方式に限らず、たとえばインクジェット方式によって画像形成処理を行うものであってもよい。
【００４３】
図３は、画像形成装置３０の電気的な構成を示すブロック図である。図３に示されるように、画像形成装置３０もまたＣＰＵ３１２を含む。このＣＰＵ３１２には、バス３１４を介して前述の画像読取部３０２および画像形成部３０４が接続される。併せて、ＣＰＵ３１２には、バス３１４を介してＲＡＭ３１６、ハードディスクドライブ（ＨＤＤ）３１８および通信回路３２０が接続される。
【００４４】
ＣＰＵ３１２は、画像形成装置３０の全体的な制御を司る。ＲＡＭ３１６は、画像形成装置３０の主記憶装置であり、ＣＰＵ３１２のワーク領域およびバッファ領域として用いられる。
【００４５】
ハードディスクドライブ３１８は、画像形成装置３０の補助記憶装置であって、ＣＰＵ３１２が画像形成装置３０の動作を制御するための制御プログラムなどを記憶する。なお、ハードディスクドライブ３１８に代えて、或いは当該ハードディスクドライブ３１８に加えて、ＳＳＤ（Solid State Drive）やフラッシュメモリ、ＥＥＰＲＯＭなどの補助記憶装置が設けられてもよい。
【００４６】
通信回路３２０は、情報処理装置２０側の通信回路２３２との間での双方向通信を担う回路である。この画像形成装置３０側の通信回路３２０と情報処理装置２０側の通信回路２３２との間で行われる双方向通信は、有線方式よって行われてもよいし、無線通信によって行われてもよい。
【００４７】
さて前述したように、本第１実施例に係る情報処理システム１０は、情報処理装置２０および画像形成装置３０を含み、このうちの特に情報処理装置２０は、たとえばＭＭＫである。ＭＭＫは、様々なサービスを提供する機能を備える一方、不特定多数のユーザによって使用される、という性質を有する。このため、ＭＭＫにおいては、それがどのような機能を備えているのかの情報を、ユーザに呈示することが、求められる。
【００４８】
そこで、本第１実施例に係る情報処理システム１０によれば、その起動後に、図４に示されるようなホーム画面（または「メニュー画面」或いは「ポータル画面」と称されることがある。）１００が、ディスプレイ２０４の表示面に表示される。このホーム画面１００は、その上部に位置する横方向に細長い矩形のタイトルバー領域１１０と、当該タイトルバー領域１１０の下方に位置する矩形のメイン領域１２０と、から成る。このうちのタイトルバー領域１１０には、たとえば「いらっしゃいませ」というホスピタリティ精神を表す文字列が記されたタイトルバー１１２が表示される。そして、メイン領域１２０には、ユーザ操作を受付可能な複数の機能対応操作子としてのボタン１２２，１２２，…が表示される。各ボタン１２２，１２２，…は、情報処理システム１０が備える機能に対応している。また、各ボタン１２２，１２２，…には、それぞれに対応する機能を表す適宜の文字列が記される。
【００４９】
なお、各ボタン１２２，１２２，…は、それぞれに対応する機能に応じた態様で、とりわけ当該機能の使用頻度に応じた態様で、表示される。具体的には、使用頻度が高いことが見込まれる機能に対応するボタン１２２ほど、目立ち易い態様で表示される。たとえば、前述のコピー機能は、情報処理システム１０が備える機能の中で最も高い頻度で使用されることが見込まれる。したがって、このコピー機能に対応する（「コピー」という文字列が付された）ボタン１２２は、比較的に大きめのサイズで表示されるとともに、メイン領域１２０のうちの比較的に目立ち易い上部の位置に表示される。これに対してたとえば、前述のスキャン機能は、コピー機能よりも使用頻度が低いものと見込まれる。したがって、このスキャン機能に対応する（「スキャン」という文字列が付された）ボタン１２２は、コピー機能に対応するボタン１２２よりも小さめのサイズで表示されるとともに、当該コピー機能に対応するボタン１２２の下方の位置に表示され、言わば控えめな態様で表示される。
【００５０】
因みに、「その他のサービス」という文字列が記されたボタン１２２は、たとえばデジタルコンテンツのダウンロードサービスを含む各種コンテンツの提供サービスや、当該デジタルコンテンツのリコメンド情報の提供サービスなどの複数のサービスに係る機能に対応する。この機能は、コピー機能ほどではないものの、比較的に高い頻度で使用されることが見込まれる。したがって、この機能に対応する（「その他のサービス」という文字列が付された）ボタン１２２については、比較的に大きめのサイズで表示される一方、メイン領域１２０のうちの比較的に目立ち難い下部の位置に表示される。
【００５１】
これら各ボタン１２２，１２２，…は、それぞれのサイズや表示位置に限らず、形状や色彩などの他の態様によって、特徴付けられてもよい。また、これら各ボタン１２２，１２２，…は、それぞれに対応する機能の使用頻度に限らず、当該機能の使用に必要な料金などの、言わば当該機能の適宜の属性に応じた態様で、表示されてもよい。
【００５２】
このホーム画面１００は、情報処理システム１０がどのような機能を備えているのかをユーザに呈示するとともに、ユーザが使用を希望する機能を当該ユーザに選択させるための機能選択画面の一例である。したがって、ユーザは、このホーム画面１００から、情報処理システム１０がどのような機能を備えているのかを認識することができる。そして、ユーザは、当該ホーム画面１００から、使用を希望する機能を任意に選択する。
【００５３】
なお、ホーム画面１００は、いわゆる静止画像である。したがって、このホーム画面１００が表示されている状態が継続すると、つまりユーザによって情報処理システム１０が使用されない状態が継続すると、ディスプレイ２０４の表示面が焼き付く（厳密には液晶ディスプレイの場合は残像現象が生じる）虞がある。ゆえに、このディスプレイ２０４の表示面の焼き付きを防止する必要もある。
【００５４】
本第１実施例に係る情報処理システム１０によれば、ユーザによって当該情報処理システム１０が使用されない状態が継続すると、図５に示されるような待機画面４００がディスプレイ２０４の表示面全体にわたって表示される。たとえば、ホーム画面１００が予め定められた待機切替期間Ｔｂにわたって表示され続けたときに、当該ホーム画面１００に代えて、待機画面４００が表示される。なお、待機切替期間Ｔｂは、数分間〜数十分間が適当であるが、任意に変更することができる。
【００５５】
待機画面４００は、矩形状の機能一覧画像４１０と、矩形状の広告画像４２０と、から成る。このうちの機能一覧画像４１０は、本発明に係る第１画像の一例であり、待機画面４００が表示された直後は、当該待機画面４００の下部に位置する。具体的には、機能一覧画像４１０の第１対辺としての上側辺および下側辺のそれぞれは、ディスプレイ２０４の表示面の上側辺および下側辺のそれぞれと平行である。また、当該機能一覧画像４１０の上側辺および下側辺それぞれの長さ寸法は、ディスプレイ２０４の表示面の上側辺および下側辺それぞれの長さ寸法と同じである。一方、機能一覧画像４１０の第２対辺としての左側辺および右側辺のそれぞれは、ディスプレイ２０４の表示面の左側辺および右側辺のそれぞれと平行である。そして、当該機能一覧画像４１０の左側辺および右側辺それぞれの長さ寸法は、ディスプレイ２０４の表示面の左側辺および右側辺それぞれの長さ寸法よりも短く、たとえば当該ディスプレイ２０４の表示面の左側辺および右側辺それぞれの長さ寸法の１／３程度である。その上で、待機画面４００が表示された直後は、機能一覧画像４１０の下側辺が、ディスプレイ２０４の表示面の下側辺と重なった状態にある。
【００５６】
これに対して、広告画像４２０は、本発明に係る第２画像の一例であり、待機画面４００のうちの機能一覧画像４１０以外の領域を占める。したがって、待機画面４００が表示された直後は、広告画像４２０は、機能一覧画像４１０の上方に位置する。
【００５７】
そして、機能一覧画像４１０には、情報処理システム１０が備える機能の少なくとも一部に関する第１情報、たとえば前述の「その他のサービス」以外のサービスを提供する機能に関する文字列等が、含まれる。一方、広告画像４２０には、当該「その他のサービス」に関する第２情報、たとえば当該「その他のサービス」として提供される特定のコンテンツに関する動画像や文字列等が、含まれる。
【００５８】
したがって、ユーザは、この待機画面４００を成す機能一覧画像４１０から、つまり当該待機画面４００が表示されている状態にあるときであっても、情報処理システム１０がどのような機能を備えているのかを認識することができる。併せて、ユーザは、広告画像４２０から、情報処理システム１０が提供可能な特定のコンテンツに関する情報を認識することができる。
【００５９】
さらに、待機画面４００が表示されてから予め定められた広告切替期間Ｔａが経過すると、図６に示されるように、（Ａ）→（Ｂ）→（Ｃ）という順番で、当該待機画面４００の表示態様が変化する。すなわち、機能一覧画像４１０が、時間の経過に応じて徐々に上方へ移動（スライド）する。そして、この機能一覧画像４１０が移動した後の領域に、つまり当該機能一覧画像４１０の下方に、別の広告画像４２０が表示される。たとえば、機能一覧画像４１０の上方に表示されている広告画像４２０が第１広告画像４２０ａであるとすると、機能一覧画像４１０の下方に当該第１広告画像４２０ａとは別の第２広告画像４２０ｂが表示される。
【００６０】
なお、このように機能一覧画像４１０、第１広告画像４２０ａおよび第２広告画像４２０ｂという３つの画像がディスプレイ２０４の表示面に同時に表示される態様は、たとえば当該３つの画像４１０，４２０ａおよび４２０ｂが互いに異なるレイヤに形成されることで実現される。もちろん、これ以外の方法によって、各画像４１０，４２０ａおよび４２０ｂがディスプレイ２０４の表示面に同時に表示される態様が実現されてもよい。
【００６１】
そして、機能一覧画像４１０がディスプレイ２０４の表示面の上側辺に到達すると、厳密には当該機能一覧画像４１０の上側辺がディスプレイ２０４の表示面の上側辺と重なると、当該機能一覧画像４１０の移動が停止する。この結果、図７に示されるように、待機画面４００は、その上部に位置する機能一覧画像４１０と、当該機能一覧画像４１０の下方に位置する第２広告画像４２０ｂと、から成る状態に遷移する。すなわち、機能一覧画像４１０がディスプレイ２０４の下部から上部へ移動するとともに、この移動する機能一覧画像４１０によって第１広告画像４２０ａが第２広告画像４２０ｂに塗り替えられるような態様で広告画像４２０が変更される。
【００６２】
この図７に示される状態は、前述の広告切替期間Ｔａにわたって維持される。そして、当該広告切替期間Ｔａが経過すると、今度は、図８に示されるように、（Ａ）→（Ｂ）→（Ｃ）という順番で、当該待機画面４００の表示態様が変化する。すなわち、機能一覧画像４１０が、時間の経過に応じて徐々に下方へ移動する。そして、この機能一覧画像４１０が移動した後の領域に、つまり当該機能一覧画像４１０の上方に、さらに別の広告画像４２０が表示され、たとえば第３広告画像４２０ｃが表示される。
【００６３】
そして、機能一覧画像４１０がディスプレイ２０４の表示面の下側辺に到達すると、厳密には当該機能一覧画像４１０の下側辺がディスプレイ２０４の表示面の下側辺と重なると、当該機能一覧画像４１０の移動が停止する。この結果、図９に示されるように、待機画面４００は、その下部に位置する機能一覧画像４１０と、当該機能一覧画像４１０の上方に位置する第３広告画像４２０ｃと、から成る状態に遷移する。すなわち、機能一覧画像４１０がディスプレイ２０４の上部から下部へ移動するとともに、この移動する機能一覧画像４１０によって第２広告画像４２０ｂが第３広告画像４２０ｃに塗り替えられるような態様で広告画像４２０が変更される。これ以降、同様の動作が繰り返される。
【００６４】
すなわち、機能一覧画像４１０は、ディスプレイ２０４の表示面の上側辺および下側辺間を当該ディスプレイ２０４の表示面の左側辺および右側辺に沿って一定の周期で往復移動する。そして、この機能一覧画像４１０が往復移動することに伴って、広告画像４２０が順次変更される。要するに、待機画面４００として、機能一覧画像４１０と広告画像４２０とから成る一種の動画像が表示される。これにより、ディスプレイ２０４の表示面の焼き付きが防止される。
【００６５】
また、機能一覧画像４１０は、前述の如くディスプレイ２０４の表示面内を移動するものの、常に当該ディスプレイ２０４の表示面に表示される。したがって依然として、ユーザは、当該機能一覧画像４１０から、つまりディスプレイ２０４の表示面に待機画面４００が表示されている状態にあるときであっても、情報処理システム１０がどのような機能を備えているのかを認識することができる。これにより、情報処理システム１０の利便性の向上が図られる。さらに、広告画像４２０もまた、常にディスプレイ２０４に表示されるが、この広告画像４２０（の内容）は、時間の経過に応じて順次変更される。つまりは、種々の広告画像４２０がユーザに呈示される。これにより、情報処理システム１０による宣伝広告効果の向上が図られ、ひいては当該情報処理システム１０付加価値や収益性などの向上が図られる。
【００６６】
なお、前述の広告切替期間Ｔａは、たとえば数秒間〜数十秒間が適当であるが、適宜に変更することができる。そして、機能一覧画像４１０がディスプレイ２０４の表示面の上側辺および下側辺の一方から他方へ移動するのに要する期間、言わば当該機能一覧画像４１０の移動所要期間は、たとえば数秒間〜数十秒間が適当であるが、これもまた、適宜に変更することができる。
【００６７】
ディスプレイ２０４の表示面に待機画面４００が表示されている状態で、ユーザによって特定の操作が行われると、たとえばタッチパネル２０２の任意の位置がタッチされると、当該待機画面４００に代えて、改めてホーム画面１００が表示される。これにより、ユーザは、前述の如く当該ホーム画面１００から任意の機能を選択することができる。また、このホーム画面１００が表示されている状態が待機切替期間Ｔｂにわたって継続すると、当該ホーム画面１００に代えて、改めて待機画面４００が表示される。
【００６８】
このような待機画面４００の制御を実現するために、情報処理装置２０のＣＰＵ２２０は、ＲＡＭ２２８に記憶されている情報処理プログラム５２０に従って、待機画面制御処理を実行する。
【００６９】
ここで、ＲＡＭ２２８のメモリマップ５０の一例を、図１０に示す。この図１０に示されるように、ＲＡＭ２２８は、プログラム記憶領域５２およびデータ記憶領域５４を含む。プログラム記憶領域５２には、情報処理プログラム５２０が記憶される。情報処理プログラム５２０は、操作検出プログラム５２２、画像生成プログラム５２４、通信制御プログラム５２６、近距離通信プログラム５２８およびコピー制御プログラム５３０を含む。
【００７０】
操作検出プログラム５２２は、ユーザによるタッチパネル２０２の操作状態を検出するためのプログラムである。具体的には、当該操作検出プログラム５２２は、タッチパネル制御回路２２４から前述のタッチ座標データを取得し、このタッチ座標データを時系列でデータ記憶領域５４に記憶するためのプログラムである。
【００７１】
画像生成プログラム５２４は、ホーム画面１００や待機画面４００などの各種画面をディスプレイ２０４の表示面に表示させるのに必要な表示画像データを生成するためのプログラムである。具体的には、当該画像生成プログラム５２４が実行されると、ＣＰＵ２２０による指示の下、表示制御回路２２６において、ＧＰＵがディスプレイ２０４の表示面に表示させる画面に対応する表示画像データをＶＲＡＭに生成する。このＶＲＡＭに生成された表示画像データがディスプレイ２０４に入力されることで、ディスプレイ２０４の表示面に当該表示画像データに基づく画面が表示される。
【００７２】
通信制御プログラム５２６は、通信回路２３２による双方向通信を実現するためのプログラムである。すなわち、この通信制御プログラム５２６が実行されると、ＣＰＵ２２０による指示の下、通信回路２３２による双方向通信が実現される。この双方向通信には、上述の如く画像形成装置３０側の通信回路３２０との間での双方向通信が含まれる。
【００７３】
近距離通信プログラム５２８は、近距離通信部２１２による通信対象との間でのデータ通信を実現するためのプログラムである。すなわち、この近距離通信プログラム５２８が実行されると、ＣＰＵ２２０による指示の下、近距離通信部２１２による通信対象との間でのデータ通信が実現される。
【００７４】
コピー制御プログラム５３０は、画像形成装置３０のコピー機能を制御するためのプログラムである。このコピー制御プログラム５３０に従って、ＣＰＵ２２０は、画像形成装置３０のコピー機能を制御し、たとえば当該コピー機能に係る各種パラメータの設定を行ったり、画像形成装置３０のＣＰＵ３１２にコピー開始の指示を与えたりする。
【００７５】
一方、データ記憶領域５４には、画像生成データ５４２、広告画像データ５４４、操作データ５４６、送受信データ５４８、近距離通信データ５５０、コピー設定データ５５２などが記憶される。
【００７６】
画像生成データ５４２は、ホーム画面１００や待機画面４００などの各種画面に対応する表示画面データを生成するためのポリゴンデータやテクスチャデータなどのデータである
広告画像データ５４４は、前述の広告画像４２０、厳密には複数の広告画像４２０ａ，４２０ｂ，４２０ｃ，…に対応するデータであり、たとえば図１１に示されるように、複数の広告画像データ５４４ａ，５４４ａ，５４４ａ，…を含む。なお、図１１は、Ｎ（Ｎ：２以上の整数）個の広告画像データ５４４ａ，５４４ａ，５４４ａ，…が記憶されている状態を示す。これらの広告画像データ５４４ａ，５４４ａ，５４４ａ，…は、たとえばネットワークを介して供給され、または、更新される。
【００７７】
操作データ５４６は、操作検出プログラム５２２に従って取得されたタッチ座標データであり、時系列で記憶される。
【００７８】
送受信データ５４８は、通信制御プログラム５２６に従って送受信されるデータである。この送受信データ５４８には、画像形成装置３０に対して送信される画像形成命令や当該画像形成装置３０から受信される画像読取データなどの当該画像形成装置３０との間で送受信されるデータが含まれる。
【００７９】
近距離通信データ５５０は、近距離通信プログラム５２８に従って送受信されるデータである。この近距離通信データ５５０には、後述する電子マネーによる決済処理に係るデータが含まれる。
【００８０】
コピー設定データ５５２は、コピー制御プログラム５３０に従って設定される画像形成装置３０のコピー機能に係る各種パラメータのデータである。このコピー設定データ５５２には、後述するコピーモードや仕上がりシート（出力用紙）の種類などに係るデータが含まれる。
【００８１】
なお、図示は省略するが、データ記憶領域５４には、情報処理プログラム５２０の実行に必要な他の各種データも記憶される。また、データ記憶領域５４には、広告切替期間Ｔａや待機切替期間Ｔｂなどをカウントするための各種カウンタ（タイマ）や、各広告画像データ５４４ａ，５４４ａ，…の順番ｎなどを表す各種インデックスなどが設けられる。
【００８２】
その上で、情報処理装置２０のＣＰＵ２２０は、前述の如く情報処理プログラム５２０に従って、待機画面制御処理を実行する。この待機画面制御処理の流れについて、図１２および図１３に示されるフロー図を参照して説明する。なお、ＣＰＵ２２０は、ホーム画面１００が表示されている状態が待機切替期間Ｔｂにわたって継続したときに、この待機画面制御処理の実行を開始する。
【００８３】
まず、ＣＰＵ２２０は、ステップＳ１において、ディスプレイ２０４の表示面に待機画面４００を表示させ、厳密にはそうなるように表示制御回路２２６を制御する。このとき、待機画面４００を構成する広告画像４２０としては、ｎ番目の広告画像データ５４４ａに基づく画像が表示される。なお、情報処理システム１０の起動時またはＲＡＭ２２８内の各広告画像データ５４４ａ，５４４ａ，…の更新時においては、当該各広告画像データ５４４ａ，５４４ａ，…の順番ｎを表すインデックスの値として、「１」という初期値が設定される。したがってたとえば、情報処理システム１０の起動後またはＲＡＭ２２８内の各広告画像データ５４４ａ，５４４ａ，…の更新後に最初にステップＳ１が実行される場合には、広告画像４２０として第１広告画像４２０ａが表示される。すなわち、図５に示される待機画面４００が表示される。
【００８４】
ステップ１の実行後、ＣＰＵ２２０は、処理をステップＳ３に進める。そして、このステップＳ３において、ＣＰＵ２２０は、広告切替期間Ｔａのカウントを開始する。さらに、ＣＰＵ２２０は、処理をステップＳ３からステップＳ５に進めて、当該広告切替期間Ｔａが経過したかどうかを判定する。
【００８５】
ステップＳ５において、たとえばまだ広告切替期間Ｔａが経過していない場合（Ｓ５−ＮＯ）、ＣＰＵ２２０は、処理をステップＳ７に進める。一方、ステップＳ５において、広告切替期間Ｔａが経過した場合（Ｓ５−ＹＥＳ）、ＣＰＵ２２０は、処理をステップＳ９に進める。
【００８６】
ステップＳ７において、ＣＰＵ２２０は、タッチパネル２０２がユーザによるタッチ操作を受け付けたかどうかを、厳密にはタッチパネル制御回路２２４から当該タッチ操作に応じたタッチ座標データが入力されたかどうかを、判定する。ここでたとえば、タッチ操作が受け付けられていない場合（Ｓ７−ＮＯ）、ＣＰＵ２２０は、処理をステップＳ５に戻す。一方、当該タッチ操作が受け付けられた場合（Ｓ７−ＹＥＳ）、ＣＰＵ２２０は、処理をステップＳ７からステップＳ１１に進める。
【００８７】
ステップＳ１１において、ＣＰＵ２２０は、ディスプレイ２０４の表示面にホーム画面１００を表示させ、厳密にはそうなるように表示制御回路２２６を制御する。このステップＳ１１の実行をもって、ＣＰＵ２２０は、待機画面制御処理を終了する。
【００８８】
一方、前述のステップＳ９において、ＣＰＵ２２０は、ディスプレイ２０４の表示面における機能一覧画像４１０の上方への移動を開始させ、厳密にはそうなるように表示制御回路２２６を制御する。そして、ＣＰＵ２２０は、処理をステップＳ１３に進める。
【００８９】
ステップＳ１３において、ＣＰＵ２２０は、前述の各広告画像データ５４４ａ，５４４ａ，…の順番ｎを表すインデックスの値がその最大値Ｎと一致するかどうかを判定する。ここでたとえば、当該順番ｎを表すインデックスの値がその最大値Ｎと一致する場合（Ｓ１３−ＹＥＳ）、つまり今現在の広告画像４２０が第Ｎ広告画像データ５４４ａに基づく場合、ＣＰＵ２２０は、処理をステップＳ１５に進める。一方、当該順番ｎを表すインデックスの値がその最大値Ｎと一致しない場合（Ｓ１３−ＮＯ）、つまり今現在の広告画像４２０が第Ｎ広告画像データ５４４ａ以外の広告画像データ５４４ａに基づく場合、ＣＰＵ２２０は、処理をステップＳ１３からステップＳ１７に進める。
【００９０】
ステップＳ１５において、ＣＰＵ２２０は、ディスプレイ２０４の表示面への第１広告画像データ５４４ａに基づく第１広告画像４２０（４２０ａ）の表示を開始させ、厳密にはそうなるように表示制御回路２２６を制御する。この第１広告画像４２０は、機能一覧画像４１０の下方に表示される。このステップＳ１５の実行後、ＣＰＵ２２０は、処理をステップＳ１９に進める。
【００９１】
一方、ステップＳ１７において、ＣＰＵ２２０は、ディスプレイ２０４の表示面への第ｎ＋１広告画像データ５４４ａに基づく第ｎ＋１広告画像４２０の表示を開始させ、厳密にはそうなるように表示制御回路２２６を制御する。この第ｎ＋１広告画像４２０もまた、機能一覧画像４１０の下方に表示される。このステップＳ１７の実行後、ＣＰＵ２２０は、処理をステップＳ１９に進める。
【００９２】
ステップＳ１９において、ＣＰＵ２２０は、機能一覧画像４１０がディスプレイ２０４の表示面の上側辺に到達したかどうかを判定する。ここでたとえば、機能一覧画像４１０がまだディスプレイ２０４の表示面の上側辺に到達していない場合（Ｓ１９−ＮＯ）、ＣＰＵ２２０は、処理をステップＳ２１に進める。一方、機能一覧画像４１０がディスプレイ２０４の表示面の上側辺に到達した場合（Ｓ１９−ＹＥＳ）、ＣＰＵ２２０は、処理をステップＳ１９からステップＳ２３に進める。
【００９３】
ステップＳ２１において、ＣＰＵ２２０は、タッチパネル２０２がユーザによるタッチ操作を受け付けたかどうかを、つまりタッチパネル制御回路２２４から当該タッチ操作に応じたタッチ座標データが入力されたかどうかを、判定する。ここでたとえば、タッチ操作が受け付けられていない場合（Ｓ２１−ＮＯ）、ＣＰＵ２２０は、処理をステップＳ１９に戻す。一方、当該タッチ操作が受け付けられた場合（Ｓ２１−ＹＥＳ）、ＣＰＵ２２０は、処理をステップＳ２１からステップＳ１１に進める。
【００９４】
また、ステップＳ２３において、ＣＰＵ２２０は、ディスプレイ２０４の表示面における機能一覧画像４１０の上方への移動を停止させ、厳密にはそうなるように表示制御回路２２６を制御する。そして、ＣＰＵ２２０は、処理をステップＳ２５に進める。
【００９５】
ステップＳ２５において、ＣＰＵ２２０は、前述の順番ｎを表すインデックスの値がその最大値Ｎと一致するかどうかを判定する。ここでたとえば、当該順番ｎを表すインデックスの値がその最大値Ｎと一致する場合（Ｓ２５−ＹＥＳ）、ＣＰＵ２２０は、処理をステップＳ２７に進める。一方、当該順番ｎを表すインデックスの値がその最大値Ｎと一致しない場合（Ｓ２５−ＮＯ）、ＣＰＵ２２０は、処理をステップＳ２５からステップＳ２９に進める。
【００９６】
ステップＳ２７において、ＣＰＵ２２０は、前述の順番ｎを表すインデックスの値として「１」を設定する。そして、このステップＳ２７の実行後、ＣＰＵ２２０は、処理をステップＳ３１に進める。
【００９７】
一方、ステップＳ２９において、ＣＰＵ２２０は、前述の順番ｎを表すインデックスの値をインクリメントし、つまり「１」だけ加算する。このステップＳ２９の実行後、ＣＰＵ２２０は、処理をステップＳ３１に進める。
【００９８】
ステップＳ３１において、ＣＰＵ２２０は、改めて広告切替期間Ｔａのカウントを開始する。そして、ＣＰＵ２２０は、処理をステップＳ３３に進めて、当該広告切替期間Ｔａが経過したかどうかを判定する。
【００９９】
ステップＳ３３において、たとえばまだ広告切替期間Ｔａが経過していない場合（Ｓ３３−ＮＯ）、ＣＰＵ２２０は、処理をステップＳ３５に進める。一方、ステップＳ３３において、広告切替期間Ｔａが経過した場合（Ｓ３３−ＹＥＳ）、ＣＰＵ２２０は、処理をステップＳ３７に進める。
【０１００】
ステップＳ３５において、ＣＰＵ２２０は、タッチパネル２０２がユーザによるタッチ操作を受け付けたかどうかを判定する。ここでたとえば、タッチ操作が受け付けられていない場合（Ｓ３５−ＮＯ）、ＣＰＵ２２０は、処理をステップＳ３３に戻す。一方、タッチ操作が受け付けられた場合（Ｓ３５−ＹＥＳ）、ＣＰＵ２２０は、処理をステップＳ３５からステップＳ１１に進める。
【０１０１】
また、ステップＳ３７において、ＣＰＵ２２０は、ディスプレイ２０４の表示面における機能一覧画像４１０の下方への移動を開始させ、厳密にはそうなるように表示制御回路２２６を制御する。そして、ＣＰＵ２２０は、処理をステップＳ３９に進める。
【０１０２】
ステップＳ３９において、ＣＰＵ２２０は、前述の順番ｎを表すインデックスの値がその最大値Ｎと一致するかどうかを判定する。ここでたとえば、当該順番ｎを表すインデックスの値がその最大値Ｎと一致する場合（Ｓ３９−ＹＥＳ）、ＣＰＵ２２０は、処理をステップＳ４１に進める。一方、当該順番ｎを表すインデックスの値がその最大値Ｎと一致しない場合（Ｓ３９−ＮＯ）、ＣＰＵ２２０は、処理をステップＳ３９からステップＳ４３に進める。
【０１０３】
ステップＳ４１において、ＣＰＵ２２０は、ディスプレイ２０４の表示面への第１広告画像データ５４４ａに基づく第１広告画像４２０（４２０ａ）の表示を開始させ、厳密にはそうなるように表示制御回路２２６を制御する。この第１広告画像４２０は、機能一覧画像４１０の上方に表示される。このステップＳ４１の実行後、ＣＰＵ２２０は、処理をステップＳ４５に進める。
【０１０４】
一方、ステップＳ４３において、ＣＰＵ２２０は、ディスプレイ２０４の表示面への第ｎ＋１広告画像データ５４４ａに基づく第ｎ＋１広告画像４２０の表示を開始させ、厳密にはそうなるように表示制御回路２２６を制御する。この第ｎ＋１広告画像４２０もまた、機能一覧画像４１０の上方に表示される。このステップＳ４３の実行後、ＣＰＵ２２０は、処理をステップＳ４５に進める。
【０１０５】
ステップＳ４５において、ＣＰＵ２２０は、機能一覧画像４１０がディスプレイ２０４の表示面の下側辺に到達したかどうかを判定する。ここでたとえば、機能一覧画像４１０がまだディスプレイ２０４の表示面の下側辺に到達していない場合（Ｓ４５−ＮＯ）、ＣＰＵ２２０は、処理をステップＳ４７に進める。一方、機能一覧画像４１０がディスプレイ２０４の表示面の下側辺に到達した場合（Ｓ４５−ＹＥＳ）、ＣＰＵ２２０は、処理をステップＳ４５からステップＳ４９に進める。
【０１０６】
ステップＳ４７において、ＣＰＵ２２０は、タッチパネル２０２がユーザによるタッチ操作を受け付けたかどうかを判定する。ここでたとえば、タッチ操作が受け付けられていない場合（Ｓ４７−ＮＯ）、ＣＰＵ２２０は、処理をステップＳ４５に戻す。一方、当該タッチ操作が受け付けられた場合（Ｓ４７−ＹＥＳ）、ＣＰＵ２２０は、処理をステップＳ４７からステップＳ１１に進める。
【０１０７】
また、ステップＳ４９において、ＣＰＵ２２０は、ディスプレイ２０４の表示面における機能一覧画像４１０の下方への移動を停止させ、厳密にはそうなるように表示制御回路２２６を制御する。そして、ＣＰＵ２２０は、処理をステップＳ５１に進める。
【０１０８】
ステップＳ５１において、ＣＰＵ２２０は、前述の順番ｎを表すインデックスの値がその最大値Ｎと一致するかどうかを判定する。ここでたとえば、当該順番ｎを表すインデックスの値がその最大値Ｎと一致する場合（Ｓ５１−ＹＥＳ）、ＣＰＵ２２０は、処理をステップＳ５３に進める。一方、当該順番ｎを表すインデックスの値がその最大値Ｎと一致しない場合（Ｓ５１−ＮＯ）、ＣＰＵ２２０は、処理をステップＳ５１からステップＳ５５に進める。
【０１０９】
ステップＳ５３において、ＣＰＵ２２０は、前述の順番ｎを表すインデックスの値として「１」を設定する。そして、このステップＳ５３の実行後、ＣＰＵ２２０は、改めて広告切替期間Ｔａのカウントを開始するべく、処理をステップＳ３に戻す。
【０１１０】
一方、ステップＳ５５において、ＣＰＵ２２０は、前述の順番ｎを表すインデックスの値をインクリメントし、つまり「１」だけ加算する。このステップＳ５５の実行後も、ＣＰＵ２２０は、改めて広告切替期間Ｔａのカウントを開始するべく、処理をステップＳ３に戻す。
【０１１１】
この一連の待機画面制御処理を実行するＣＰＵ２２０は、言わば待機制御手段を担う。また、このようなＣＰＵ２２０は、言わば機能選択制御手段でもある。
【０１１２】
以上説明したように、本第１実施例に係る情報処理システム１０によれば、ユーザによって当該情報処理システム１０が使用されない状態が継続すると、一種の動画像である待機画面４００がディスプレイ２０４の表示面全体にわたって表示される。これにより、ディスプレイ２０４の表示面の焼き付きが防止される。
【０１１３】
また、ディスプレイ２０４の表示面に待機画面４００が表示されている状態にあっても、ユーザは、この待機画面４００を成す機能一覧画像４１０から、情報処理システム１０がどのような機能を備えているのかを認識することができる。これにより、情報処理システム１０の利便性の向上が図られる。併せて、待機画面４００を成す広告画像４２０が時間の経過に応じて順次変更されるので、種々の当該広告画像４２０がユーザに呈示される。これにより、情報処理システム１０による宣伝広告効果の向上が図られ、ひいては当該情報処理システム１０の付加価値や収益性などの向上が図られる。
【０１１４】
すなわち、本第１実施例に係る情報処理システム１０によれば、ディスプレイ２０４の表示面の焼き付きを防止しつつ、当該情報処理システム１０の利便性、付加価値、収益性などの向上が図られる。
【０１１５】
ところで前述したように、本第１実施例に係る情報処理システム１０によれば、ユーザは、ホーム画面１００から任意の機能を選択することができるが、それぞれの機能に係る操作性の向上が図られるよう、種々の工夫が施されている。たとえば、ユーザによってコピー機能が選択される場合について、詳しく説明する。
【０１１６】
この場合、図４に示されるホーム画面１００において、「コピー」という文字列が記されたボタン１２２がユーザによって操作（押下）される。すると、ディスプレイ２０４の表示面に、図１４に示されるようなコピー受付画面６００が表示される。
【０１１７】
この図１４に示されるコピー受付画面６００は、ホーム画面１００と共通のタイトルバー領域１１０およびメイン領域１２０から成る。このうちのタイトルバー領域１１０には、ホーム画面１００と同様のタイトルバー１１２が表示される。一方、メイン領域１２０の中央には、当該メイン領域１２０よりも少し（一回りほど）小さい矩形状のかんたんコピーメニュー画面６１０が表示される。
【０１１８】
このかんたんコピーメニュー画面６１０は、コピー機能に係る大まかなコピーモードを選択するための画面であり、言わば当該コピー機能に係る初期画面である。具体的には、このかんたんコピーメニュー画面６１０の上部には、横方向に細長い矩形状のサブタイトルバー６１２が設けられる。そして、このサブタイトルバー６１２には、かんたんコピーメニュー画面６１０のタイトルを表す文字列、たとえば「かんたんコピーメニュー」という文字列が、記される。併せて、サブタイトルバー６１２のたとえば右側端部の近傍に、「とじる」という文字列が記されたボタン、言わばとじるボタン６１４が、設けられる。
【０１１９】
さらに、かんたんコピーメニュー画面６１０におけるサブタイトルバー６１２の下方に、複数の、たとえば４つの、ボタン６１６，６１６，…が、縦方向に２行、横方向に２列の並びで設けられる。これら各ボタン６１６，６１６，…のうちの左側の２つは、白黒コピーモードに対応するとともに、それぞれ片面コピーモードおよび両面コピーモードに対応する。そして、これら左側の２つのボタン６１６および６１６、ならびにその上方には、当該左側の２つのボタン６１６および６１６に対応するコピーモードを表す適宜の文字列などが記される。一方、右側の２つのボタン６１６および６１６は、カラーコピーモードに対応するとともに、それぞれ片面コピーモードおよび両面コピーモードに対応する。そして、これら右側の２つのボタン６１６および６１６、およびその上方にも、当該右側の２つのボタン６１６および６１６に対応するコピーモードを表す適宜の文字列などが記される。
【０１２０】
このかんたんコピーメニュー画面６１０によれば、ユーザは、白黒コピーモードおよびカラーコピーモードのいずれを希望するのか、また、片面コピーモードおよび両面コピーモードのいずれを希望するのかに応じて、各ボタン６１６，６１６，…のいずれかを押下する。なお、コピー機能の選択を中止する場合には、ユーザは、前述のとじるボタン６１４を押下すればよい。このとじるボタン６１４が押下されると、ディスプレイ２０４の表示面に改めてホーム画面１００が表示され、言い換えれば当該ホーム画面１００が表示される状態に戻る。
【０１２１】
このかんたんコピーメニュー画面６１０において、たとえばカラーコピーモードかつ両面コピーモードに対応する（右下に位置する）ボタン６１６が押下されると、図１５に示されるように、当該押下されたボタン６１６の表示態様が変わる。なお、図１５においては、押下されたボタン６１６に斜線模様が付されているが、これは、当該押下されたボタン６１６に適当な色彩が付されていることを表現している。これにより、押下されたボタン６１６に対応するコピーモードが選択される。この選択されたコピーモードのデータは、コピー機能に係るパラメータの１つとして記憶され、詳しくは前述のコピー設定データ５５２の１つとして記憶される。そして、この図１５に示されるかんたんコピーメニュー画面６１０の表示態様は、一定期間にわたって、たとえば１秒間以下の比較的に短い期間にわたって、維持される。
【０１２２】
その後、図１６に示されるように、かんたんコピーメニュー画面６１０を覆うように、次に説明する用紙選択画面６２０を含む矩形状の画像６２０ａが、メイン領域１２０の右側から当該メイン領域１２０にスライドインされる。この結果、図１７に示されるように、コピー受付画面６００のメイン領域１２０の中央に、当該メイン領域１２０よりも少し（二回りほど）小さい矩形状の用紙選択画面６２０が表示される。なお、用紙選択画面６２０を含む画像６２０ａがメイン領域１２０にスライドインされるのに掛かる時間は、たとえば１秒間以下の比較的に短い時間である。言い換えれば、それくらいの速度で当該画像６２０ａがメイン領域１２０にスライドインされる。
【０１２３】
この用紙選択画面６２０は、コピー機能に係るパラメータの１つとしての仕上がりシートの種類を選択するための画面であり、言わば当該コピー機能に係る設定画面の１つである。具体的には、この用紙選択画面６２０には、複数の、たとえば６つの、ボタン６２２，６２２，…が、縦方向に３行、横方向に２列の並びで設けられる。これら各ボタン６２２，６２２，…は、仕上がりシートの種類に対応し、詳しくはＡ３サイズの普通紙、Ａ４サイズの普通紙、Ａ４サイズの光沢紙、Ｂ４サイズの普通紙、Ｂ５サイズの普通紙、およびはがきに、それぞれ対応する。そして、各ボタン６２２，６２２，…には、それぞれに対応する仕上がりシートの種類や単価などを表す適宜の文字列および図形が記される。
【０１２４】
加えて、用紙選択画面６２０の右横方に、言わばメイン領域１２０における右側の余白部分に、次の設定画面である後述する設定確認画面６３０の一部分が表示され、詳しくは当該設定確認画面６３０の左側端部が表示される。したがって、ユーザは、この設定確認画面６３０の左側端部が表示されることから、次の設定画面が存在すること、つまりコピー機能に係る設定操作がまだ続くことを、直観的に認識することができる。
【０１２５】
さらに、今現在の設定対象の画面である用紙選択画面６２０の右側端部と次の設定画面である設定確認画面６３０の左側端部との間に、「つぎへ」という文字列がその近傍に記されたボタン、言わばつぎへボタン１３０が、表示される。このつぎへボタン１３０は、次の設定画面が存在することを表す表示子として機能する。したがって、ユーザは、当該つぎへボタン１３０が表示されていることからも、次の設定画面が存在すること、つまりコピー機能に係る設定操作がまだ続くことを、直観的に認識することができる。
【０１２６】
なお、後で詳しく説明するが、今現在の設定対象画面に係る設定操作がまだ済んでいない場合には、つぎへボタン１３０は、薄いグレーで表示され、いわゆるグレーアウト表示される。図１７においては、つぎへボタン１３０が破線で記されることで、当該つぎへボタン１３０がグレーアウト表示されることが表現されている。一方、今現在の設定対象画面に係る設定操作が既に済んでいる場合には、当該つぎへボタン１３０は、黒色で明瞭に表示される。この場合、つぎへボタン１３０は、次の設定画面を設定対象画面としてメイン領域１２０の中央に表示させるための、言わば当該次の設定画面に進むための、ユーザ操作を受付可能な次順操作子として機能する。
【０１２７】
併せて、用紙選択画面６２０の下方に、言わばメイン領域１２０における下側の余白部分に、進行状況バー１４０が表示される。この進行状況バー１４０は、現時点における設定操作の進行状況をグラフィカルに表示する表示子であり、言わば状況表示子である。具体的には、この進行状況バー１４０は、横方向に直線状に延伸する直線バー部１４２と、この直線バー部１４２上に適宜の（ここでは一定の）間隔を置いて配置された複数の、たとえば５つの、段階マーク１４４，１４４，…と、を含む。それぞれの段階マーク１４４は、設定操作の段階に対応する。たとえば、左端ある段階マーク１４４は、最初（第１）の段階である基本設定段階に対応し、右端にある段階マーク１４４は、最後（第５）の段階である終了段階に対応する。そして、それぞれの段階マーク１４４には、対応する段階を表す数値が表示されている。さらに、それぞれの段階マーク１４４の近傍、たとえば下方には、対応する段階の内容を簡単に表す文字列１４６が表示されている。
【０１２８】
このような進行状況バー１４０は、現時点における設定操作の進行状況に応じた適宜の修飾を施されることによって、前述の如く当該進行状況をグラフィカルに表示する。図１７においては、左端の段階マーク１４４が、他の各段階マーク１４４，１４４，…よりも大きめの態様で表示される。これにより、現時点における設定操作の進行状況が、基本設定段階であることが表現される。また、進行状況バー１４０における左端の段階マーク１４４と左端から２番目の段階マーク１４４との略中間点以前の部分（当該略中間点を含む左側の部分）に、適当な色彩が付される。これによっても、現時点における設定操作の進行状況が、基本設定段階であることが表現される。さらに、左端の段階マーク１４４の下方にある文字列１４６が、他の文字列１４６，１４６，…よりも大きめの態様で表示される。これによっても、現時点における設定操作の進行状況が、基本設定段階であることが表現される。したがって、ユーザは、この進行状況バー１４０の表示態様から、現時点における設定操作の進行状況を、直観的に認識することができる。
【０１２９】
また、後で詳しく説明するが、進行状況バー１４０は、設定操作が既に済んでいる任意の設定画面を改めて設定対象画面としてメイン領域１２０の中央に表示させるための、言わば設定済の当該任意の設定画面にジャンプするための、ユーザ操作を受付可能な操作子としても機能する。この状況表示子としての進行状況バー１４０の態様は、一例であって、ここで説明したものに限定されない。
【０１３０】
さらに、この用紙選択画面６２０が設定対象画面としてメイン領域１２０の中央に表示されている状態にあるときのコピー受付画面６００のタイトルバー１１２には、「終了」という文字列が記されたボタン、言わば終了ボタン１１４が、設けられる。なお、図１７においては、タイトルバー１１２の右側端部の近傍に、この終了ボタン１１４が設けられているが、当該終了ボタン１１４は、これ以外の位置に設けられてもよい。この終了ボタン１１４が押下されると、コピー機能に係る設定操作が中止される。そして、ディスプレイ２０４の表示面に不図示の適当な終了メッセージが一定期間にわたって表示された上で、当該ディスプレイ２０４の表示面に改めてホーム画面１００が表示される。この終了ボタン１１４は、次の設定画面である設定確認画面６３０以降の各設定画面のそれぞれを含むコピー受付画面６００のタイトルバー１１２にも、同様に設けられる。
【０１３１】
図１７に示される用紙選択画面６２０において、仕上がりシートの種類を選択するための各ボタン６２２，６２２，…のいずれかが押下されると、図１８に示されるように、この押下されたボタン６２２の表示態様が変わる。なお、図１８は、Ａ４サイズの普通紙に対応するボタン６２２が押下された状態を示す。また、図１８においては、押下されたボタン６２２に斜線模様が付されているが、これは、当該押下されたボタン６２２に適当な色彩が付されていることを表現している。このボタン６２２の押下により、当該押下されたボタン６２２に対応する仕上がりシートの種類が選択される。そして、選択された仕上がりシートの種類のデータについても、コピー機能に係るパラメータの１つとして記憶され、詳しくは前述のコピー設定データ５５２の１つとして記憶される。この図１８に示される用紙選択画面６２０の表示態様は、一定期間にわたって、たとえば１秒間以下の比較的に短い期間にわたって、維持される。
【０１３２】
その後、図１９に示されるように、メイン領域１２０の中央に表示されていた用紙選択画面６２０が、当該メイン領域１２０の左側に向かってスライドする。併せて、次の設定画面である設定確認画面６３０が、メイン領域１２０にスライドインされる。そして、図２０に示されるように、メイン領域１２０の中央に、当該設定確認画面６３０が設定対象画面として表示される。なお、設定確認画面６３０の形状および大きさは、用紙選択画面６２０の形状および大きさと同じである。なお、設定確認画面６３０がメイン領域１２０にスライドインされるのに掛かる時間は、１秒間以下の比較的に短い時間である。これ以降も、後述する如くメイン領域１２０にスライドインされる画面があるが、これらの画面がスライドインされるときも、同様の時間が掛かる。
【０１３３】
この設定確認画面６３０は、コピー機能に係るパラメータの今現在の設定内容を確認するための画面である。この設定確認画面６３０もまた、コピー機能に係る設定画面の１つである。この設定確認画面６３０の左側寄りの位置には、コピー機能に係る主なパラメータを表す複数の文字列６３２，６３２，…が縦一列に設けられる。そして、それぞれの文字列６３２の右横方に、当該文字列６３２に対応するパラメータの設定内容を表す文字列６３４が設けられる。この文字列６３４によって表されるパラメータの設定内容は、前述のコピー設定データ５５２に基づく。なお、これまでの（かんたんコピーメニュー画面６１０および用紙選択画面６２０に係る）設定操作により設定されたパラメータ以外のパラメータについては、デフォルトの内容が設定される。さらに、当該文字列６３４の右横方に、「変更」という文字列が記されたボタン、言わば変更ボタン６３６が、設けられる。この変更ボタン６３６は、対応するパラメータの設定内容を変更するための操作子である。詳しい説明は省略するが、この変更ボタン６３６が押下されると、当該変更ボタン６３６に対応するパラメータの設定内容を変更するための画面が表示され、たとえば適宜のダイアログボックスが設定確認画面６３０上にオーバラップ表示される。ユーザは、このダイアログボックスにおいて、パラメータの設定内容を変更することができる。そして、この変更されたパラメータの設定内容に基づいて、前述のコピー設定データ５５２が更新される。
【０１３４】
加えて、設定確認画面６３０における適当な位置、たとえば各文字列６３２，６３２，…の下方の位置に、「その他の設定」という文字列が記されたボタン、言わばその他の設定ボタン６３８が、設けられる。このその他の設定ボタン６３８は、前述の文字列６３２，６３２，…に対応するパラメータ以外のパラメータ、言わばその他のパラメータ、の内容を確認し、または変更するための操作子である。詳しい説明は省略するが、このその他の設定ボタン６３８が押下されると、当該その他のパラメータおよびその設定内容に関する情報を含む画面が表示され、たとえば適宜のダイアログボックスが設定確認画面６３０上にオーバラップ表示される。また、このダイアログボックスには、その他のパラメータそれぞれの設定内容を変更するためのボタンが表示される。ユーザは、このボタンの押下を含む適宜の操作を行うことによって、その他のパラメータそれぞれの設定内容を変更することができる。この場合も、変更されたパラメータの設定内容に基づいて、前述のコピー設定データ５５２が更新される。
【０１３５】
さらに、設定確認画面６３０における適当な位置、たとえば各変更ボタン６３６，６３６，…の下方の位置に、「この設定で印刷」という文字列が記されたボタン、言わば印刷ボタン６３９が、設けられる。この印刷ボタン６３９は、コピー機能に係るパラメータの今現在の設定内容に従う条件による印刷の開始を指示するための操作子である。すなわち、この印刷ボタン６３９が押下されると、コピー機能に係るパラメータの今現在の設定内容に従う条件による印刷の開始を指示するための処理が行われる。ただし、この印刷ボタン６３９が押下されても、直ちに印刷は開始されない。この印刷ボタン６３９が押下されると、後述する如く次の設定画面である１枚目原稿読み込み画面６４０がメイン領域１２０にスライドインされる。なお、この印刷ボタン６３９には、適当な修飾が施され、たとえば適当な色彩が付される。図２０においては、この印刷ボタン６３９に斜線模様が付されているが、これは、当該印刷ボタン６３９に適当な色彩が付されていることを表現している。このように印刷ボタン６３９に適当な修飾が施されることで、印刷の開始には、当該印刷ボタン６３９の押下が必要であることが、ユーザに暗示される。
【０１３６】
この設定確認画面６３０を含む図２０に示されるコピー受付画面６００においても、メイン領域１２０の右側の余白部分に、次の設定画面である１枚目原稿読み込み画面６４０の一部が表示され、詳しくは当該１枚目原稿読み込み画面６４０の左側端部が表示される。したがって、ユーザは、この１枚目原稿読み込み画面６４０の左側端部が表示されていることから、次の設定画面が存在すること、つまりコピー機能に係る設定操作がまだ続くことを、直観的に認識することができる。
【０１３７】
さらに、今現在の設定対象画面である設定確認画面６３０の右側端部と次の設定画面である１枚目原稿読み込み画面６４０の左側端部との間に、前述のつぎへボタン１３０が表示される。したがって、ユーザは、このつぎへボタン１３０が表示されていることからも、次の設定画面が存在すること、つまりコピー機能に係る設定操作がまだ続くことを、直観的に認識することができる。
【０１３８】
加えて、今現在の設定対象画面である設定確認画面６３０の左横方に、言わばメイン領域１２０の左側の余白部分に、前の設定画面である用紙選択画面６２０の一部分が表示され、詳しくは当該用紙選択画面６２０の右側端部が表示される。したがって、ユーザは、この用紙選択画面６２０の右側端部が表示されることから、前の設定画面が存在すること、言い換えれば今現在の設定対象画面である設定確認画面６３０が最初の設定画面でないことを、直観的に認識することができる。なお、この用紙選択画面６２０の右側端部については、当該用紙選択画面６２０に係る設定操作が既に済んだ状態にあるので、この設定済であることを表現するべく、適当な修飾が施され、たとえば適当な色彩が付される。図２０においては、用紙選択画面６２０の右側端部に斜線模様が付されているが、これは、当該用紙選択画面６２０の右側端部に適当な色彩が付されていることを表現している。したがって、ユーザは、この用紙選択画面６２０の右側端部に適当な色彩が付されていることから、当該用紙選択画面６２０に係る設定操作が既に済んでいること、言わば当該用紙選択画面６２０が設定済であることを、直観的に認識することができる。
【０１３９】
そして、今現在の設定対象画面である設定確認画面６３０の左側端部と前の設定画面である用紙選択画面６２０の右側端部との間に、「もどる」という文字列がその近傍に記されたボタン、言わばもどるボタン１５０が、表示される。したがって、ユーザは、このもどるボタン１５０が表示されていることからも、前の設定画面が存在すること、つまり今現在の設定対象画面である設定確認画面６３０が最初の設定画面でないことを、直観的に認識することができる。
【０１４０】
また、もどるボタン１５０は、前の設定画面を設定対象画面として改めてメイン領域１２０の中央に表示させるための、言わば当該前の設定画面にもどるための、ユーザ操作を受付可能な前順操作子として機能する。たとえば、図２０に示されるコピー受付画面６００において、このもどるボタン１５０が押下されると、前の設定画面である用紙選択画面６２０が設定対象画面として改めてメイン領域１２０の中央に表示される。具体的には、それまでメイン領域１２０の中央に表示されていた設定確認画面６３０が、当該メイン領域１２０の右側に向かってスライドする。併せて、前の設定画面である用紙選択画面６２０が、メイン領域１２０にスライドインされる。そして、メイン領域１２０の中央に、当該用紙選択画面６２０が改めて設定対象画面として表示される。すなわち、コピー受付画面６００が図１７に示される状態に戻る。このように操作子としても機能するもどるボタン１５０は、グレーアウト表示ではなく、黒色で明瞭に表示される。
【０１４１】
さらに、この図２０に示されるコピー受付画面６００においても、メイン領域１２０の下側の余白部分に、前述の進行状況バー１４０が表示される。ただし、図２０における進行状況バー１４０の表示態様は、たとえば図１７における進行状況バー１４０の表示態様と異なる。すなわち、図２０における進行状況バー１４０においては、中央の段階マーク１４４が、他の段階マーク１４４，１４４，…よりも大きめの態様で表示される。これにより、現時点における設定操作の進行状況が、設定内容の確認段階であることが表現される。また、進行状況バー１４０における中央の段階マーク１４４以前の部分（中央の段階マーク１４４を含む左側部分）に、適当な色彩が付される。これによっても、現時点における設定操作の進行状況が、設定内容の確認段階であることが表現される。そして、中央の段階マーク１４４の下方にある文字列１４６が、他の文字列１４６，１４６，…よりも大きめの態様で表示される。これによっても、現時点における設定操作の進行状況が、設定内容の確認段階であることが表現される。併せて、中央の文字列１４６以前の（左側にある３つの）文字列１４６，１４６，…が、他の（右側にある２つの）文字列１４６および１４６よりも太めの態様で表示される。なお、図１９に示されるように、メイン領域１２０の中央に表示される設定対象画面が用紙選択画面６２０から設定確認画面６３０に切り替わるとき、進行状況バー１４０の表示態様は、図２０におけるのと同じ表示態様に変化する。
【０１４２】
この図２０に示されるコピー受付画面６００内の設定確認画面６３０において、印刷ボタン６３９が押下されると、図２１に示されるように、次の設定画面である１枚目原稿読み込み画面６４０が、メイン領域１２０にスライドインされる。そして、図２２に示されるように、メイン領域１２０の中央に、当該１枚目原稿読み込み画面６４０が設定対象画面として表示される。なお、この１枚目原稿読み込み画面６４０の形状および大きさもまた、前の設定画面である設定確認画面６３０の形状および大きさと同じであり、つまり最初の設定画面である用紙選択画面６２０の形状および大きさと同じである。
【０１４３】
この１枚目原稿読み込み画面６４０は、前述の両面コピーモードに係る１枚目の原稿、つまり仕上がりシートのおもて面に印刷される原稿の、読み込みを行うための画面である。そして、この１枚目原稿読み込み画面６４０もまた、コピー機能に係る設定画面の１つである。具体的には、この１枚目原稿読み込み画面６４０の中央よりも少し左側寄りの位置に、矩形状の動画像表示領域６４２が設けられる。そして、この動画像表示領域６４２に、１枚目の原稿の読み込み要領を示す動画像６４２ａが表示される。また、この動画像表示領域６４２の下部に、動画像６４２ａの今現在の再生位置を表す横長の直線状のバー、いわゆるシークバー６４２ｂが、表示される。
【０１４４】
さらに、１枚目原稿読み込み画面６４０における適当な位置、たとえば当該１枚目原稿読み込み画面６４０の右下隅に近い位置に、「読み込み開始」という文字列が記されたボタン、言わば読み込み開始ボタン６４４が、設けられる。この読み込み開始ボタン６４４は、１枚目の原稿の読み込みの開始を指示するための操作子である。この読み込み開始ボタン６４４には、適当な修飾が施され、たとえば適当な色彩が付される。このように読み込み開始ボタン６４４に適当な修飾が施されることで、１枚目の原稿の読み込みの開始には、当該読み込み開始ボタン６４４の押下が必要であることが、ユーザに暗示される。
【０１４５】
この１枚目原稿読み込み画面６４０を含む図２２に示されるコピー受付画面６００においても、メイン領域１２０の右側の余白部分に、次の設定画面である後述する２枚目原稿読み込み画面６５０の一部が表示され、詳しくは当該２枚目原稿読み込み画面６５０の左側端部が表示される。そして、今現在の設定対象画面である１枚目原稿読み込み画面６４０の右側端部と次の設定画面である２枚目原稿読み込み画面６５０の左側端部との間に、前述のつぎへボタン１３０が表示される。
【０１４６】
さらに、メイン領域１２０の左側の余白部分に、前の設定画面である設定確認画面６３０の一部分が表示され、詳しくは当該設定確認画面６３０の右側端部が表示される。そして、この設定確認画面６３０の右側端部については、当該設定確認画面６３０が設定済であることを表現するべく、適当な修飾が施され、たとえば適当な色彩が付される。加えて、今現在の設定対象画面である１枚目原稿読み込み画面６４０の左側端部と前の設定画面である設定確認画面６３０の右側端部との間に、前述のもどるボタン１５０が表示される。因みに、図２２に示されるコピー受付画面６００において、このもどるボタン１５０が押下されると、前の設定画面である設定確認画面６３０が設定対象画面としてメイン領域１２０の中央に表示される。この結果、ディスプレイ２０４の表示面が、図２０に示される状態に戻る。
【０１４７】
併せて、図２２に示されるコピー受付画面６００においても、メイン領域１２０の下側の余白部分に、前述の進行状況バー１４０が表示される。ただし、この図２２における進行状況バー１４０の表示態様は、たとえば図２０における進行状況バー１４０の表示態様と少し異なる。具体的には、この図２２における進行状況バー１４０においては、中央の段階マーク１４４が大きめの態様で表示されるとともに、当該中央の段階マーク１４４の下方にある文字列１４６が大きめの態様で表示される。この点は、図２０における進行状況バー１４０の表示態様と同じである。ただし、図２２における進行状況バー１４０においては、中央の段階マーク１４４とその右隣（右端から２番目）の段階マーク１４４との略中間点以前の部分に、適当な色彩が付されており、この点で、図２０における進行状況バー１４０の表示態様と異なる。なお、図２１に示されるように、メイン領域１２０に表示される設定対象画面が設定確認画面６３０から１枚目原稿読み込み画面６４０に切り替わるとき、進行状況バー１４０の表示態様は、図２２におけるのと同じ表示態様に変化する。
【０１４８】
この図２２に示されるコピー受付画面６００内の１枚目原稿読み込み画面６４０において、前述の画像読取部３０２の原稿載置台に１枚目の原稿が載置された上で、読み込み開始ボタン６４４が押下されると、当該画像読取部３０２による１枚目の原稿の画像を読み取るための画像読取処理が開始される。この画像読取処理によって得られる１枚目の原稿に係る画像読取データは、図１０に示される送受信データ５４８の１つとして記憶される。この画像読取処理が終了すると、図２３に示されるように、次の設定画面である２枚目原稿読み込み画面６５０が、メイン領域１２０にスライドインされる。そして、図２４に示されるように、メイン領域１２０の中央に、当該２枚目原稿読み込み画面６５０が設定対象画面として表示される。なお、この２枚目原稿読み込み画面６５０の形状および大きさもまた、最初の設定画面である用紙選択画面６２０の形状および大きさと同じである。
【０１４９】
この２枚目原稿読み込み画面６５０は、前述の両面コピーモードに係る２枚目の原稿、つまり仕上がりシートの裏面に印刷される原稿の、読み込みを行うための画面である。そして、この２枚目原稿読み込み画面６５０もまた、コピー機能に係る設定画面の１つである。具体的には、この２枚目原稿読み込み画面６５０の中央よりも少し左側寄りの位置に、矩形状の動画像表示領域６５２が設けられる。そして、この動画像表示領域６５２に、２枚目の原稿の読み込み要領を示す動画像６５２ａが表示される。また、この動画像表示領域６５２の下部に、動画像６５２ａの今現在の再生位置を表す横長のシークバー６５２ｂが、表示される。
【０１５０】
さらに、この２枚目原稿読み込み画面６５０における適当な位置、たとえば当該２枚目原稿読み込み画面６５０の右下隅に近い位置に、「２枚目読み込み」という文字列が記されたボタン、言わば２枚目読み込みボタン６５４が、設けられる。この２枚目読み込みボタン６５４は、２枚目の原稿の読み込みの開始を指示するための操作子である。この２枚目読み込みボタン６５４には、適当な修飾が施され、たとえば適当な色彩が付される。このように２枚目読み込みボタン６５４に適当な修飾が施されることで、２枚目の原稿の読み込みの開始には、当該２枚目読み込みボタン６５４の押下が必要であることが、ユーザに暗示される。
【０１５１】
この２枚目原稿読み込み画面６５０を含む図２４に示されるコピー受付画面６００においても、メイン領域１２０の右側の余白部分に、次の設定画面である後述する最終確認画面６６０の一部が表示され、詳しくは当該最終確認画面６６０の左側端部が表示される。併せて、今現在の設定対象画面である２枚目原稿読み込み画面６５０の右側端部と次の設定画面である最終確認画面６６０の左側端部との間に、前述のつぎへボタン１３０が表示される。
【０１５２】
また、メイン領域１２０の左側の余白部分に、前の設定画面である１枚目原稿読み込み画面６４０の一部分が表示され、詳しくは当該１枚目原稿読み込み画面６４０の右側端部が表示される。そして、この１枚目原稿読み込み画面６４０の右側端部については、当該１枚目原稿読み込み画面６４０が設定済であること、厳密には１枚目の原稿に係る画像読取処理が既に済んでいることを、表現するべく、適当な修飾が施され、たとえば適当な色彩が付される。加えて、今現在の設定対象画面である２枚目原稿読み込み画面６５０の左側端部と前の設定画面である１枚目原稿読み込み画面６４０の右側端部との間に、前述のもどるボタン１５０が表示される。因みに、図２４に示されるコピー受付画面６００において、このもどるボタン１５０がユーザによって押下されると、前の設定画面である１枚目原稿読み込み画面６４０が設定対象画面としてメイン領域１２０の中央に表示される。この結果、ディスプレイ２０４の表示面が、図２２に示される状態に戻る。
【０１５３】
さらに、図２４に示されるコピー受付画面６００においても、メイン領域１２０の下側の余白部分に、前述の進行状況バー１４０が表示される。この図２４における進行状況バー１４０の表示態様は、図２２における進行状況バー１４０の表示態様と同じである。また、図２３における進行状況バー１４０の表示態様も、この図２４における進行状況バー１４０の表示態様と同じである。
【０１５４】
この図２４に示されるコピー受付画面６００内の２枚目原稿読み込み画面６５０において、前述の画像読取部３０２の原稿載置台に２枚目の原稿が載置された上で、２枚目読み込みボタン６５４が押下されると、当該画像読取部３０２による２枚目の原稿の画像を読み取るための画像読取処理が開始される。この画像読取処理によって得られる２枚目の原稿に係る画像読取データもまた、図１０に示される送受信データ５４８の１つとして記憶される。この２枚目の原稿に係る画像読取処理が終了すると、たとえば図１９に示されるのと同様、図２５に示されるように、次の設定画面である最終確認画面６６０が、メイン領域１２０にスライドインされる。そして、図２６に示されるように、メイン領域１２０の中央に、当該２枚目原稿読み込み画面６５０が設定対象画面として表示される。なお、この２枚目原稿読み込み画面６５０の形状および大きさもまた、最初の設定画面である用紙選択画面６２０の形状および大きさと同じである。
【０１５５】
この最終確認画面６６０は、前述の画像読取処理による１枚目の原稿および２枚目の原稿それぞれの画像の読取結果を確認するための画面である。そして、この最終確認画面６６０もまた、コピー機能に係る設定画面の１つである。具体的には、この最終確認画面６６０の中央よりも少し左側寄りの位置に、矩形状の読取画像プレビュー領域６６２が設けられる。そして、この読取画像プレビュー領域６６２に、１枚目の原稿および２枚目の原稿それぞれの読取結果を表すプレビュー画像６６２ａが表示される。詳しい図示は省略するが、読取画像プレビュー領域６６２の下部に設けられている２つのボタン６６２ｂおよび６６２ｃが押下されることによって、プレビュー画像６６２ａが、その中心を通る垂直な（上下方向に延伸する）仮想の直線を軸として回転する。このプレビュー画像６６２ａから、ユーザは、１枚目の原稿および２枚目の原稿それぞれの読取結果を確認することができる。
【０１５６】
さらに、この最終確認画面６６０における適当な位置、たとえば当該最終確認画面６６０の右下隅に近い位置に、「コピー開始」という文字列が記されたボタン、言わばコピー開始ボタン６６４が、設けられる。このコピー開始ボタン６６４は、印刷の開始を指示するための操作子であり、一見すると、図２０に示される設定確認画面６３０における印刷ボタン６３９と同様の操作子であるように思われる。このコピー開始ボタン６６４についても、印刷ボタン６３９と同様、当該コピー開始ボタン６６４が押下されても、直ちに印刷は開始されない。このコピー開始ボタン６６４が押下されると、後述する如く次の設定画面である決済方法選択画面６７０がメイン領域１２０にスライドインされる。なお、このコピー開始ボタン６６４には、適当な修飾が施され、たとえば適当な色彩が付される。このようにコピー開始ボタン６６４に適当な修飾が施されることで、印刷の開始には、当該コピー開始ボタン６６４の押下が必要であることが、ユーザに暗示される。
【０１５７】
加えて、最終確認画面６６０における適当な位置、たとえばコピー開始ボタン６６４の上方に、矩形状の部数表示領域６６６が設けられる。この部数表示領域６６６には、コピー機能に係る今現在の一部のパラメータの設定内容に基づく情報が表示され、たとえば印刷部数および印刷に係る料金の合計金額に関する情報が表示される。なお、具体的な説明は省略するが、この部数表示領域６６６に表示されている情報のうちの印刷部数については、任意に変更することができる。この印刷部数が変更されると、これに応じて印刷に係る料金の合計金額も変更される。そして、これらの変更内容に応じて、前述のコピー設定データ５５２も変更される。
【０１５８】
この最終確認画面６６０を含む図２６に示されるコピー受付画面６００においても、メイン領域１２０の右側の余白部分に、次の設定画面である決済方法選択画面６７０の一部が表示され、詳しくは当該決済方法選択画面６７０の左側端部が表示される。併せて、今現在の設定対象画面である最終確認画面６６０の右側端部と次の設定画面である決済方法選択画面６７０の左側端部との間に、前述のつぎへボタン１３０が表示される。
【０１５９】
そして、メイン領域１２０の左側の余白部分に、前の設定画面である２枚目原稿読み込み画面６５０の一部分が表示され、詳しくは当該２枚目原稿読み込み画面６５０の右側端部が表示される。この２枚目原稿読み込み画面６５０の右側端部については、当該２枚目原稿読み込み画面６５０が設定済であること、厳密には２枚目の原稿に係る画像読取処理が既に済んでいることを、表現するべく、適当な修飾が施され、たとえば適当な色彩が付される。併せて、今現在の設定対象画面である最終確認画面６６０の左側端部と前の設定画面である２枚目原稿読み込み画面６５０の右側端部との間に、前述のもどるボタン１５０が表示される。因みに、図２６に示されるコピー受付画面６００において、このもどるボタン１５０がユーザによって押下されると、前の設定画面である２枚目原稿読み込み画面６５０が設定対象画面としてメイン領域１２０の中央に表示される。この結果、ディスプレイ２０４の表示面が、図２４に示される状態に戻る。
【０１６０】
さらに、図２６に示されるコピー受付画面６００においても、メイン領域１２０の下側の余白部分に、前述の進行状況バー１４０が表示される。この図２６における進行状況バー１４０の表示態様は、図２２における進行状況バー１４０の表示態様と同じである。また、図２５における進行状況バー１４０の表示態様も、この図２６における進行状況バー１４０の表示態様と同じである。
【０１６１】
この図２６に示されるコピー受付画面６００内の最終確認画面６６０において、コピー開始ボタン６６４が押下されると、図２７に示されるように、次の設定画面である決済方法選択画面６７０が、メイン領域１２０にスライドインされる。そして、図２８に示されるように、メイン領域１２０の中央に、当該決済方法選択画面６７０が設定対象画面として表示される。なお、この決済方法選択画面６７０の形状および大きさもまた、最初の設定画面である用紙選択画面６２０の形状および大きさと同じである。
【０１６２】
この決済方法選択画面６７０は、印刷に係る料金の決済方法を選択するための画面である。この決済方法選択画面６７０もまた、コピー機能に係る設定画面の１つである。この決済方法選択画面６７０には、複数の、たとえば５つの、ボタン６７２，６７２，…が設けられる。これら５つのボタン６７２，６７２，…のうちの３つは、決済方法選択画面６７０における左側寄りの位置に縦１列に並んでいる。そして、残りの２つのボタン６７２および６７２は、決済方法選択画面６７０における右側寄りの位置に縦１列に並んでいる。なお、これら各ボタン６７２，６７２，…の配置は、一例であり、図２８に示される態様に限定されない。そして、各ボタン６７２，６７２，…は、決済方法に対応し、詳しくは現金、電子マネーＡ、電子マネーＢ、電子マネーＣ、および電子マネーＤによる決済方法にそれぞれ対応する。これら各ボタン６７２，６７２，…には、それぞれに対応する決済方法を表す適宜の文字列および図形が記される。
【０１６３】
この決済方法選択画面６７０を含む図２８に示されるコピー受付画面６００においても、メイン領域１２０の右側の余白部分に、次の設定画面である後述する決済処理画面６８０の一部が表示され、詳しくは当該決済処理画面６８０の左側端部が表示される。併せて、今現在の設定対象画面である決済方法選択画面６７０の右側端部と次の設定画面である決済処理画面６８０の左側端部との間に、前述のつぎへボタン１３０が表示される。
【０１６４】
そして、メイン領域１２０の左側の余白部分に、前の設定画面である最終確認画面６６０の一部分が表示され、詳しくは当該最終確認画面６６０の右側端部が表示される。この最終確認画面６６０の右側端部については、当該最終確認画面６６０が設定済であることを表現するべく、適当な修飾が施され、たとえば適当な色彩が付される。併せて、今現在の設定対象画面である決済方法選択画面６７０の左側端部と前の設定画面である最終確認画面６６０の右側端部との間に、前述のもどるボタン１５０が表示される。因みに、図２８に示されるコピー受付画面６００において、このもどるボタン１５０がユーザによって押下されると、前の設定画面である最終確認画面６６０が設定対象画面としてメイン領域１２０の中央に表示される。この結果、ディスプレイ２０４の表示面が、図２６に示される状態に戻る。
【０１６５】
さらに、図２８に示されるコピー受付画面６００においても、メイン領域１２０の下側の余白部分に、前述の進行状況バー１４０が表示される。この図２８における進行状況バー１４０の表示態様は、図２２における進行状況バー１４０の表示態様と同じである。また、図２７における進行状況バー１４０の表示態様も、この図２８における進行状況バー１４０の表示態様と同じである。
【０１６６】
この図２８に示されるコピー受付画面６００内の決済方法選択画面６７０において、決済方法を選択するための各ボタン６７２，６７２，…のいずれかが押下されると、図２９に示されるように、当該押下されたボタン６７２の表示態様が変わる。なお、図２９は、電子マネーＤによる決済方法に対応するボタン６７２が押下された状態を示す。また、図２９においては、押下されたボタン６７２に斜線模様が付されているが、これは、当該押下されたボタン６７２に適当な色彩が付されていることを表現している。このボタン６７２の押下により、当該押下されたボタン６７２に対応する決済方法が選択される。この選択された決済方法のデータについても、コピー機能に係るパラメータの１つとして記憶され、詳しくは前述のコピー設定データ５５２の１つとして記憶される。そして、図２９に示される決済方法選択画面６７０の表示態様は、一定期間にわたって、たとえば１秒間以下の比較的に短い期間にわたって、維持される。
【０１６７】
その後、図３０に示されるように、次の設定画面である決済処理画面６８０が、メイン領域１２０にスライドインされる。そして、図３１に示されるように、メイン領域１２０の中央に、決済処理画面６８０が設定対象画面として表示される。なお、この決済処理画面６８０の形状および大きさもまた、最初の設定画面である用紙選択画面６２０の形状および大きさと同じである。
【０１６８】
この決済処理画面６８０は、印刷に係る料金を、前の設定画面である決済方法選択画面６７０に係る設定操作で選択された決済方法により決済処理するための画面である。この決済処理画面６８０もまた、コピー機能に係る設定画面の１つである。この決済処理画面６８０の中央には、決済処理に用いられるＩＣカードやユーザ端末などの不図示の通信対象がかざされるリーダ／ライタを表すリーダ／ライタ領域６８２が設けられる。このリーダ／ライタ領域６８２には、当該通信対象との間で非接触のデータ通信を実現するための不図示の透明アンテナが組み込まれている。また、リーダ／ライタ領域６８２には、当該リーダ／ライタ領域６８２がリーダ／ライタとして機能することを表す適宜の図形が記される。
【０１６９】
この決済処理画面６８０を含む図３１に示されるコピー受付画面６００においては、メイン領域１２０の右側の余白部分に、後述する印刷中画面６９０の一部が表示され、詳しくは当該印刷中画面６９０の左側端部が表示される。なお後述するように、印刷中画面６９０は、印刷中であることをユーザに呈示するための画面であり、ユーザによる何らかの設定操作を受け付ける設定画面ではない。このことから、決済処理画面６８０の右側端部と印刷中画面６９０の左側端部との間には、前述のつぎへボタン１３０は表示されない。
【０１７０】
一方、メイン領域１２０の左側の余白部分には、前の設定画面である決済方法選択画面６７０の一部分が表示され、詳しくは当該決済方法選択画面６７０の右側端部が表示される。この決済方法選択画面６７０の右側端部については、当該決済方法選択画面６７０が設定済であることを表現するべく、適当な修飾が施され、たとえば適当な色彩が付される。併せて、今現在の設定対象画面である決済処理画面６８０の左側端部と前の設定画面である決済方法選択画面６７０の右側端部との間に、前述のもどるボタン１５０が表示される。因みに、図３１に示されるコピー受付画面６００において、このもどるボタン１５０がユーザによって押下されると、前の設定画面である決済方法選択画面６７０が設定対象画面としてメイン領域１２０の中央に表示される。この結果、ディスプレイ２０４の表示面が、図２８に示される状態に戻る。
【０１７１】
さらに、図３１に示されるコピー受付画面６００においても、メイン領域１２０の下側の余白部分に、前述の進行状況バー１４０が表示される。この図３１における進行状況バー１４０の表示態様は、図２２における進行状況バー１４０の表示態様と同じである。また、図３０における進行状況バー１４０の表示態様も、この図３１における進行状況バー１４０の表示態様と同じである。
【０１７２】
この図３１に示されるコピー受付画面６００内の決済処理画面６８０において、先の決済方法選択画面６７０に係る設定操作で選択された決済方法に合致する通信対象がリーダ／ライタ領域６８２にかざされると、図３２に示されるように、印刷中画面６９０がメイン領域１２０にスライドインされる。そして、図３３に示されるように、メイン領域１２０の中央に、当該印刷中画面６９０が表示される。この印刷中画面６９０の形状および大きさもまた、最初の設定画面である用紙選択画面６２０の形状および大きさと同じである。併せて、これまでの設定操作により設定されたパラメータの内容、つまり前述のコピー設定データ５５２、に従う条件による印刷が開始される。この印刷においては、前述の送受信データ５４８として記憶されている画像読取データに基づく画像形成部３０４による画像形成処理が行われる。さらに、前述の決済方法による当該印刷に係る料金の決済処理が行われる。
【０１７３】
前述したように、印刷中画面６９０は、今現在印刷中であることをユーザに呈示するための画面であり、設定画面ではない。この印刷中画面６９０の適宜の位置、たとえば上部には、今現在印刷中であることを表す適当な文字列６９２が記される。そして、この文字列６９２の下方には、適当な動画像６９４が表示される。この動画像６９４としては、たとえば図１０における広告画像データ５４４に基づく画像が表示される。このような広告画像データ５４４に基づく動画像６９４が表示されることで、宣伝広告効果のさらなる向上が図られる。
【０１７４】
この印刷中画面６９０を含む図３３に示されるコピー受付画面６００においては、メイン領域１２０の右側の余白部分に、後述する印刷完了画面７００の一部が表示され、詳しくは当該印刷完了画面７００の左側端部が表示される。なお後述するように、印刷完了画面７００は、印刷が完了したことをユーザに呈示するための画面であり、設定画面ではない。このことから、印刷中画面６９０の右側端部と印刷完了画面７００の左側端部との間には、前述のつぎへボタン１３０は表示されない。
【０１７５】
一方、メイン領域１２０の左側の余白部分には、前の設定画面である決済処理画面６８０の一部分が表示され、詳しくは当該決済処理画面６８０の右側端部が表示される。この決済処理画面６８０の右側端部については、当該決済処理画面６８０が設定済であること（厳密には決済処理が既に済んでいること）を表現するべく、適当な修飾が施され、たとえば適当な色彩が付される。なお、今現在印刷中である場合には、前の設定画面である決済処理画面６８０に戻ることは不適当であるため、印刷中画面６９０の左側端部と当該決済処理画面６８０の左側端部との間には、前述のもどるボタン１５０は表示されない。
【０１７６】
さらに、図３３に示されるコピー受付画面６００においても、メイン領域１２０の下側の余白部分に、前述の進行状況バー１４０が表示される。この図３３における進行状況バー１４０においては、右端から２番目の段階マーク１４４が、他の段階マーク１４４，１４４，…よりも大きめの態様で表示される。また、進行状況バー１４０における当該右端から２番目の段階マーク１４４以前の部分（右端から２番目の段階マーク１４４を含む左側部分）に、適当な色彩が付される。さらに、右端から２番目の段階マーク１４４の下方にある文字列１４６が、他の文字列１４６，１４６，…よりも大きめの態様で表示される。併せて、右端の文字列１４６以外の各文字列１４６，１４６，…が、当該右端の文字列１４６よりも太めの態様で表示される。この進行状況バー１４０の表示態様によっても、今現在印刷中であることが表現される。なお、図３２に示されるように、メイン領域１２０の中央に表示される画面が決済処理画面６８０から印刷中画面６９０に切り替わるとき、進行状況バー１４０の表示態様は、図３３におけるのと同じ表示態様に変化する。
【０１７７】
そして、印刷が完了すると、図３４に示されるように、印刷完了画面７００がメイン領域１２０にスライドインされる。そして、図３５に示されるように、メイン領域１２０の中央に、当該印刷完了画面７００が表示される。この印刷完了画面７００の形状および大きさもまた、最初の設定画面である用紙選択画面６２０の形状および大きさと同じである。
【０１７８】
前述したように、印刷完了画面７００は、印刷が完了したことをユーザに呈示するための画面であり、設定画面ではない。この印刷完了画面７００には、印刷が完了したことなどを表す適宜の文字列が記される。
【０１７９】
また、この印刷完了画面７００は、コピー機能に係る一連のプロセスにおいて、最後に表示される画面である。したがって、この印刷完了画面７００を含む図３５に示されるコピー受付画面６００においては、メイン領域１２０の右側の余白部分には、他の画面の一部分などの特段な画像は表示されない。また、つぎへボタン１３０も表示されない。
【０１８０】
一方、メイン領域１２０の左側の余白部分には、前の画面である印刷中画面６９０の一部分が表示され、詳しくは当該印刷中画面６９０の右側端部が表示される。この印刷中画面６９０の右側端部については、印刷が完了したことを表現するべく、適当な修飾が施され、たとえば適当な色彩が付される。なお、印刷が完了した後は、前の画面である印刷中画面６９０に戻ることは不適当であるため、印刷完了画面７００の左側端部と当該印刷中画面６９０の左側端部との間には、もどるボタン１５０は表示されない。
【０１８１】
さらに、図３５に示されるコピー受付画面６００においても、メイン領域１２０の下側の余白部分に、前述の進行状況バー１４０が表示される。この図３５における進行状況バー１４０においては、右端の段階マーク１４４が、他の段階マーク１４４，１４４，…よりも大きめの態様で表示される。また、進行状況バー１４０の全体に、適当な色彩が付される。さらに、右端の段階マーク１４４の下方にある文字列１４６が、他の文字列１４６，１４６，…よりも大きめの態様で表示される。併せて、各段階マーク１４４，１４４，…の下方にある全ての文字列１４６，１４６，…が、太めの態様で表示される。この進行状況バー１４０の表示態様によっても、印刷が完了したことが表現される。なお、図３４に示されるように、メイン領域１２０の中央に表示される画面が印刷中画面６９０から印刷完了画面７００に切り替わるとき、進行状況バー１４０の表示態様は、図３５におけるのと同じ表示態様に変化する。
【０１８２】
この印刷完了画面７００は、一定期間にわたって、たとえば数秒間にわたって、表示される。その後、ディスプレイ２０４の表示面に改めてホーム画面１００が表示され、つまり当該ホーム画面１００が表示される状態に戻る。
【０１８３】
このように本第１実施例に係る情報処理システム１０によれば、用紙選択画面６２０をはじめとする複数の設定画面が、予め定められた順番で１つずつ設定対象画面としてメイン領域１２０の中央に表示される。そして、任意の設定画面が設定対象画面としてメイン領域１２０の中央に表示されているときに、次の設定画面がある場合には、当該次の設定画面の左側端部がメイン領域１２０の右側の余白部分に表示される。一方、前の設定画面がある場合には、当該前の設定画面の右側端部がメイン領域１２０の左側の余白部分に表示される。なお、ここで言う次の設定画面は、本発明に係る次順画面の一例である。そして、ここで言う前の設定画面は、本発明に係る前順画面の一例である。また、最初の設定画面である用紙選択画面６２０は、本発明に係る先頭画面の一例であり、最終の設定画面である決済処理画面６８０は、本発明に係る最終画面の一例である。
【０１８４】
さらに、印刷中画面６９０および印刷完了画面７００は、設定画面ではないものの、これら印刷中画面６９０および印刷完了画面７００についても同様に、順次１つずつメイン領域１２０の中央に表示される。そして、これら印刷中画面６９０および印刷完了画面７００のそれぞれがメイン領域１２０の中央に表示されているときに、次の画面がある場合には、当該次の画面の左側端部がメイン領域１２０の右側の余白部分に表示される。併せて、前の画面の右側端部がメイン領域１２０の左側の余白部分に表示される。
【０１８５】
この言わば画面切替制御の仕組について、図３６〜図４３を参照して説明する。
【０１８６】
図３６は、最初の設定画面である用紙選択画面６２０が設定対象画面としてメイン領域１２０の中央に表示されている状態を概念的に示す図である。この図３６に示される状態は、図１７に示される状態に対応する。この図３６に示されるように、最初の設定画面である用紙選択画面６２０から最後に表示される印刷完了画面７００までの各画面６２０〜７００が、予め定められた順番で横一列に一定の間隔で並んでいる。そして、メイン領域１２０の中央に用紙選択画面６２０が設定対象画面として表示されているときに、次の設定画面である設定確認画面６３０の左側端部が当該メイン領域１２０の右側の余白部分に表示されるように、各画面６２０〜７００の大きさや間隔などが規定されている。併せて、メイン領域１２０の右側の余白部分に、つぎへボタン１３０が表示される。なお、今現在の設定対象画面である用紙選択画面６２０が未設定である場合には、つぎへボタン１３０は、グレーアウト表示される。さらに、メイン領域１２０の下側の余白部分に、進行状況バー１４０が表示される。この進行状況バー１４０は、前述の如く現時点における設定操作の進行状況に応じた態様で表示される。
【０１８７】
この図３６に示される状態において、各画面６２０〜７００の並びが、当該図３６における右側から左側に向かってスライドすることによって、次の設定画面である設定確認画面６３０がメイン領域１２０にスライドインされる。そして、図３７に示されるように、当該設定確認画面６３０が設定対象画面としてメイン領域１２０の中央に表示される。この図３７に示される状態は、図２０に示される状態に対応する。そして、この図３７に示される状態にあるときには、メイン領域１２０の右側の余白部分に、次の設定画面である１枚目原稿読み込み画面６４０の左側端部が表示される。併せて、メイン領域１２０の右側の余白部分に、つぎへボタン１３０が表示される。なお、今現在の設定対象画面である設定確認画面６３０に係る設定操作がまだ済んでいない場合には、つぎへボタン１３０は、グレーアウト表示される。さらに、メイン領域１２０の左側の余白部分に、前の設定画面である用紙選択画面６２０の右側端部が表示される。この用紙選択画面６２０の右側端部については、当該用紙選択画面６２０に係る設定操作が既に済んでいることから、つまり当該用紙選択画面６２０が設定済であることから、適当な修飾が施される。併せて、メイン領域１２０の左側の余白部分に、もどるボタン１５０が表示される。前述したように、このもどるボタン１５０は、ユーザ操作を受付可能であり、黒色で明瞭に表示される。加えて、メイン領域１２０の下側の余白部分に、進行状況バー１４０が表示される。
【０１８８】
そして、この図３７に示される状態において、各画面６２０〜７００の並びが、当該図３７における右側から左側に向かってスライドすることによって、次の設定画面である１枚目原稿読み込み画面６４０がメイン領域１２０にスライドインされる。そして、図３８に示されるように、当該１枚目原稿読み込み画面６４０が設定対象画面としてメイン領域１２０の中央に表示される。この図３８に示される状態は、図２２に示される状態に対応する。そして、この図３８に示される状態にあるときには、メイン領域１２０の右側の余白部分に、次の設定画面である２枚目原稿読み込み画面６５０の左側端部が表示される。併せて、メイン領域１２０の右側の余白部分に、つぎへボタン１３０が表示される。なお、今現在の設定対象画面である１枚目原稿読み込み画面６４０に係る設定操作（厳密には画像読取処理）がまだ済んでいない場合には、つぎへボタン１３０は、グレーアウト表示される。さらに、メイン領域１２０の左側の余白部分に、前の設定画面である設定確認画面６３０の右側端部が表示される。この設定確認画面６３０の右側端部については、当該設定確認画面６３０が設定済であることから、適当な修飾が施される。併せて、メイン領域１２０の左側の余白部分に、もどるボタン１５０が表示される。加えて、メイン領域１２０の下側の余白部分に、進行状況バー１４０が表示される。
【０１８９】
このようにして各画面６２０〜７００の並びが順次スライドすることによって、最終的に、図３９に示される如く印刷完了画面７００がメイン領域１２０の中央に表示される。この図３９に示される状態は、図３５に示される状態に対応する。そして、この図３９に示される状態にあるときには、メイン領域１２０の右側の余白部分には、他の画面の一部分などの特段な画像は表示されない。また、つぎへボタン１３０も表示されない。一方、メイン領域１２０の左側の余白部分には、前の画面である印刷中画面６９０の右側端部が表示される。この印刷中画面６９０の右側端部については、適当な修飾が施される。ただし、もどるボタン１５０は表示されない。そして、メイン領域１２０の下側の余白部分に、進行状況バー１４０が表示される。
【０１９０】
ここでたとえば、図３７に示される状態にあるときに、もどるボタン１５０が押下される、とする。すると、図４０に示されるように、用紙選択画面６２０が改めて設定対象画面としてメイン領域１２０の中央に表示される状態に戻る。この図４０に示される状態は、一見すると、図３６に示される状態と同じであるように思われるが、進行状況バー１４０およびつぎへボタン１３０の表示態様が異なる。
【０１９１】
すなわち、図３７に示される状態から、図４０に示される如く用紙選択画面６２０が改めて設定対象画面とされる状態に戻ったときは、当該用紙選択画面６２０が設定済の状態にある。言い換えれば、コピー機能に係る設定操作の進行状況としては、図３７に示される段階にまで当該設定操作が進んだ状態にある。したがって、図４０に示される状態においては、進行状況バー１４０の表示態様が、図３７に示されるのと同じ表示態様になり、言い換えれば当該図３７に示されるのと同じ表示態様に維持される。
【０１９２】
また、図４０に示される状態においては、つぎへボタン１３０がグレーアウト表示されるのではなく、黒色で明瞭に表示される。これにより、つぎへボタン１３０は、ユーザによる操作を受付可能となり、言わば有効化される。そして、このつぎへボタン１３０が押下されると、次の設定画面である設定確認画面６３０が改めてメイン領域１２０にスライドインされ、つまり図３７に示される状態に遷移する。
【０１９３】
なお、図３７に示される状態において、進行状況バー１４０における左端の段階マーク１４４が押下された場合にも、当該図３７に示される状態から、図４０に示される状態に遷移する。要するに、進行状況バー１４０は、設定済の任意の設定画面を改めて設定対象画面としてメイン領域１２０の中央に表示させるための、言い換えれば当該設定済の任意の設定画面にジャンプするための、操作子として機能する。
【０１９４】
因みに、詳しい説明は省略するが、この図４０に示される状態においては、仕上がりシートの種類を選択し直すことができる。ただし、仕上がりシートのサイズが変更された場合には、他のパラメータにも影響が生じることがある。したがって、この場合は、これ以降の各設定画面に係る設定操作が改めて行われる。併せて、つぎへボタン１３０および進行状況バー１４０の表示態様も適宜に改められる。
【０１９５】
さらにたとえば、図３８に示される状態において、もどるボタン１５０が押下されると、図４１に示されるように、設定確認画面６３０が改めて設定対象画面としてメイン領域１２０の中央に表示される状態に戻る。この図４１に示される状態は、一見すると、図３７に示される状態と同じであるように思われるが、進行状況バー１４０およびつぎへボタン１３０の表示態様が異なる。
【０１９６】
すなわち、図３８に示される状態から、図４１に示される如く設定確認画面６３０が改めて設定対象画面とされる状態に戻ったときは、当該設定確認画面６３０が設定済の状態にある。言い換えれば、コピー機能に係る設定操作の進行状況としては、図３８に示される段階にまで進んだ状態にある。したがって、図４１に示される状態においては、進行状況バー１４０の表示態様が、図３８に示されるのと同じ表示態様になり、言い換えれば当該図３８に示されるのと同じ表示態様に維持される。
【０１９７】
また、図４１に示される状態においては、つぎへボタン１３０がグレーアウト表示されるのではなく、黒色で明瞭に表示される。これにより、つぎへボタン１３０は、ユーザによる操作を受付可能となる。そして、このつぎへボタン１３０が押下されると、次の設定画面である１枚目原稿読み込み画面６４０が改めてメイン領域１２０にスライドインされ、つまり図３８に示される状態に遷移する。
【０１９８】
なお、図３８に示される状態において、進行状況バー１４０における中央の段階マーク１４４が押下された場合にも、当該図３８に示される状態から、図４１に示される状態に遷移する。
【０１９９】
因みに、詳しい説明は省略するが、この図４１に示される状態においては、任意のパラメータを改めて変更することができる。ただし、変更されるパラメータによっては、他のパラメータにも影響が生じる場合がある。したがって、この場合は、これ以降の各設定画面に係る設定操作が再度行われる。併せて、つぎへボタン１３０および進行状況バー１４０の表示態様も改められる。
【０２００】
加えて、図４１に示される状態において、もどるボタン１５０が押下されると、図４２に示されるように、用紙選択画面６２０が改めて設定対象画面としてメイン領域１２０の中央に表示される状態に戻る。この図４２に示される状態は、一見すると、図４０に示される状態と同じであるように思われるが、次の設定画面である設定確認画面６３０の表示態様が異なる。
【０２０１】
すなわち、図４１に示される状態から、図４２に示される如く用紙選択画面６２０が改めて設定対象画面とされる状態に戻ったときは、次の設定画面である設定確認画面６３０は設定済の状態にある。このことを表現するべく、図４２に示される状態においては、メイン領域１２０の右側の余白部分に表示される次の設定画面である設定確認画面６３０の左側端部に、適当な修飾が施され、たとえば適当な色彩が付される。図４２においては、設定確認画面６３０の左側端部に斜線模様が付されているが、これは、当該設定確認画面６３０の左側端部に適当な色彩が付されていることを表現している。したがって、ユーザは、この設定確認画面６３０の左側端部に適当な色彩が付されていることから、当該設定確認画面６３０が設定済であることを、直観的に認識することができる。
【０２０２】
なお、この図４２に示される状態においても、つぎへボタン１３０は、ユーザ操作を受付可能であり、黒色で明瞭に表示され、つまり有効化される。このつぎへボタン１３０が押下されると、次の設定画面である設定確認画面６３０が改めてメイン領域１２０にスライドインされ、つまり図４１に示される状態に遷移する。
【０２０３】
また、この図４２に示される状態における進行状況バー１４０の表示態様は、図４１に示されるのと同じ表示態様であり、つまり図３８に示されるのと同じ表示態様である。因みに、図３８に示される状態において、進行状況バー１４０における左端の段階マーク１４４が押下された場合も、当該図３８に示される状態から、図４２に示される状態に遷移し、言わばジャンプする。
【０２０４】
そしてたとえば、２枚目原稿読み込み画面６４０以降の各設定画面のいずれかが設定対象画面としてメイン領域１２０に表示されている状態で、進行状況バー１４０における中央の段階マーク１４４が押下される、とする。この場合も、図４３に示されるように、設定確認画面６３０が改めて設定対象画面としてメイン領域１２０の中央に表示される状態に戻る。この図４３に示される状態は、一見すると、図４１に示される状態と同じであるように思われるが、次の設定画面である１枚目原稿読み込み画面６４０の表示態様が異なる。
【０２０５】
すなわち、図４３に示される状態においては、次の設定画面である１枚目原稿読み込み画面６４０が設定済の状態にある。このことを表現するべく、図４３に示される状態においては、メイン領域１２０の右側の余白部分に表示される１枚目原稿読み込み画面６４０の左側端部に、適当な修飾が施され、たとえば適当な色彩が付される。
【０２０６】
なお、この図４３に示される状態においても、つぎへボタン１３０は、ユーザ操作を受付可能であり、黒色で明瞭に表示される。このつぎへボタン１３０が押下されると、次の設定画面である１枚目原稿読み込み画面６４０が改めてメイン領域１２０にスライドインされる。
【０２０７】
また、この図４３に示される状態における進行状況バー１４０の表示態様は、当該図４３に示される状態に遷移する前の状態、言わばジャンプ元の状態、におけるのと同じ表示態様である。なお、ジャンプ元の状態からもどるボタン１３０が必要回数にわたって押下されることによっても、図４３に示される状態に遷移することができる。
【０２０８】
このような画面切替制御を実現するために、情報処理装置２０のＣＰＵ２２０は、ＲＡＭ２２８に記憶されている情報処理プログラム５２０に従って、画面切替制御処理を実行する。併せて、ＣＰＵ２２０は、当該情報処理プログラム５２０に従って、進行状況表示処理を実行する。なお、進行状況表示処理は、メイン領域１２０の右側の余白部分に表示される次の画面の左側端部、つぎへボタン１３０、メイン領域１２０の左側の余白部分に表示される前の画面の右側端部、もどるボタン１５０、および進行状況バー１４０のそれぞれの表示態様を制御するための処理である。
【０２０９】
このうちのまず、画面切替制御処理の流れについて、図４４〜図４６に示されるフロー図を参照して説明する。なお、ＣＰＵ２２０は、図１４に示されるかんたんコピーメニュー画面６１０に係る設定操作によって任意のコピーモードが選択されたときに、厳密にはそのことを表す前述のタッチ座標データがタッチパネル制御回路２２４から入力されたときに、この画面切替制御処理の実行を開始する。
【０２１０】
ＣＰＵ２２０は、ステップＳ１０１において、用紙選択画面６２０を含む画像６２０ａをメイン領域１２０にスライドインさせ、厳密にはそうなるように表示制御回路２２６を制御する。これにより、図１７に示されるように、用紙選択画面６２０が設定対象画面としてメイン領域１２０の中央に表示される。このとき、メイン領域１２０の右側の余白部分に、次の設定画面である設定確認画面６３０の左側端部が表示される。併せて、メイン領域１２０の下側の余白部分に、進行状況バー１４０が表示される。なお、つぎへボタン１３０については、後述する如く進行状況表示処理の実行によって表示される。また前述したように、図１７に示される状態は、前述の如く図３６に示される状態に対応する。
【０２１１】
このステップＳ１０１は、本発明に係る次順画面付加手順の一例である。そして、このステップＳ１０１をＣＰＵ２２０が実行することは、本発明に係る次順画面付加ステップの一例である。さらに、このステップＳ１０１を実行するＣＰＵ２２０は、本発明に係る次順画面付加手段の一例である。また、このステップＳ１０１を実行するＣＰＵ２２０は、本発明に係る状況表示子付加手段の一例でもある。
【０２１２】
そして、ＣＰＵ２２０は、ステップＳ１０３において、メイン領域１２０の中央に表示されている画面が設定画面であるかどうか、つまり用紙選択画面６２０〜決済処理画面６８０の各設定画面のいずれかであるかどうかを、判定する。ここでたとえば、メイン領域１２０の中央に表示されている画面が設定画面である場合（Ｓ１０３−ＹＥＳ）、ＣＰＵ２２０は、処理をステップＳ１０５に進める。一方、メイン領域１２０の中央に表示されている画面が設定画面でない場合（Ｓ１０３−ＮＯ）、詳しくは当該メイン領域１２０の中央に表示されている画面が印刷中画面６９０である場合、ＣＰＵ２２０は、処理をステップＳ１０３から後述するステップＳ１３７に進める。
【０２１３】
ステップＳ１０５において、ＣＰＵ２２０は、タッチパネル２０２によってユーザ操作が受け付けられるのを、厳密には当該ユーザ操作に応じたタッチ座標データがタッチパネル制御回路２２４から入力されるのを、待つ（Ｓ１０５−ＮＯ）。そして、タッチパネル２０２によってユーザ操作が受け付けられると（Ｓ１０５−ＹＥＳ）、ＣＰＵ２２０は、処理をステップＳ１０５からステップＳ１０７に進める。
【０２１４】
ステップＳ１０７において、ＣＰＵ２２０は、前述のステップＳ１０５で受け付けられたユーザ操作の内容を判別する。ここでたとえば、当該ユーザ操作が終了ボタン１１４の押下である場合、ＣＰＵ２２０は、処理をステップＳ１０９に進める。そして、ユーザ操作が設定操作である場合、ＣＰＵ２２０は、処理をステップＳ１０７から後述するステップＳ１１５に進める。なお、ここで言う設定操作とは、たとえば図１７に示される用紙選択画面６２０が設定対象画面としてメイン領域１２０の中央に表示されている場合には、各ボタン６２２，６２２，…のいずれかが押下される操作のことを言う。またたとえば、図３１に示される決済処理画面６８０が設定対象画面としてメイン領域１２０の中央に表示されているときの当該設定操作とは、前述の通信対象がリーダ／ライタ領域６８２にかざされることを言う。
【０２１５】
さらに、ステップＳ１０７において、ユーザ操作がもどるボタン１５０の押下である場合、ＣＰＵ２２０は、処理を後述するステップＳ１２１に進める。このもどるボタン１５０の押下は、本発明に係る第１指示操作の一例であり、とりわけ第３指示操作の一例である。そして、ユーザ操作がつぎへボタン１３０の押下である場合、ＣＰＵ２２０は、処理をステップＳ１０７から後述するステップＳ１２５に進める。このつぎへボタン１３０の押下は、本発明に係る第２指示操作の一例である。また、ユーザ操作が進行状況バー１４０の押下である場合、厳密にはいずれかの段階マーク１４４の押下である場合、ＣＰＵ２２０は、処理をステップＳ１０７から後述するステップＳ１２９に進める。この進行状況バー１４０の押下は、本発明に係る第１指示操作の一例である。そして、ユーザ操作が、これら以外の言わばその他の操作である場合は、ＣＰＵ２２０は、処理をステップＳ１０７から後述するステップＳ１３３に進める。
【０２１６】
ステップＳ１０９において、ＣＰＵ２２０は、ユーザ操作としての前述の終了ボタン１１４の押下に応答して、この終了ボタン１１４の表示態様をユーザ操作に応じた態様とし、たとえば実際に押下されたような態様とする。そして、ＣＰＵ２２０は、処理をステップＳ１１１に進める。
【０２１７】
ステップＳ１１１において、ＣＰＵ２２０は、コピー機能に係る操作を終了する旨を表す適当な終了メッセージを一定期間にわたって、たとえば数秒間にわたって、ディスプレイ２０４の表示面に表示させる。そして、ＣＰＵ２２０は、処理をステップＳ１１３に進める。
【０２１８】
ステップＳ１１３において、ＣＰＵ２２０は、ディスプレイ２０４の表示面にホーム画面１００を表示させる。これをもって、ＣＰＵ２２０は、画面切替制御処理の実行を終了する。
【０２１９】
また、ＣＰＵ２２０は、処理をステップＳ１０７からステップＳ１１５に進めた場合、このステップＳ１１５において、前述のユーザ操作としての設定操作に応答して、当該設定操作を受け付けた設定画面、つまり今現在の設定対象画面、の表示態様を、当該設定操作に応じた態様とする。たとえば、今現在の設定対象画面が図１７に示される用紙選択画面６２０である場合には、ＣＰＵ２２０は、図１８に示される如く押下されたボタン６２２に適当な色彩を付す。またたとえば、今現在の設定対象画面が図３１に示される決済処理画面６８０である場合には、ＣＰＵ２２０は、リーダ／ライタ領域６８２の表示態様に適当な変化を与える。そして、ＣＰＵ２２０は、処理をステップＳ１１７に進める。
【０２２０】
ステップＳ１１７において、ＣＰＵ２２０は、今現在の設定対象画面に係る設定操作に応じた所定の処理を行う。たとえば、今現在の設定対象画面が図１７に示される用紙選択画面６２０である場合には、ＣＰＵ２２０は、押下されたボタン６２２に対応する仕上がりシートの種類のデータをコピー設定データ５５２の１つとして記憶する。またたとえば、今現在の設定対象画面が図３１に示される決済処理画面６８０である場合には、ＣＰＵ２２０は、印刷に係る料金の決済処理を行う。そして、ＣＰＵ２２０は、処理をステップＳ１１９に進める。
【０２２１】
ステップＳ１１９において、ＣＰＵ２２０は、今現在の次の画面をメイン領域１２０にスライドインさせる。ここで言う次の画面とは、設定確認画面６３０〜決済処理画面６８０の各設定画面のいずれか、または印刷中画面６９０である。これにより、メイン領域１２０にスライドインされた画面が、当該メイン領域１２０の中央に表示される。併せて、このメイン領域１２０の中央に表示された画面についての次の画面がある場合には、当該次の画面の左側端部が、メイン領域１２０の右側の余白部分に表示される。さらに、メイン領域１２０の左側の余白部分に、当該メイン領域１２０の中央に表示された画面についての前の画面の右側端部が表示される。その上で、ＣＰＵ２２０は、処理をステップＳ１０３に戻す。
【０２２２】
なお、このステップＳ１１９は、本発明に係る画面切替手順の一例である。また、このステップＳ１１９は、本発明に係る次順画面付加手順の一例でもある。そして、このステップＳ１１９をＣＰＵ２２０が実行することは、本発明に係る画面切替ステップの一例であるとともに、本発明に係る次順画面付加ステップの一例でもある。さらに、このステップＳ１１９を実行するＣＰＵ２２０は、本発明に係る画面切替手段の一例である。また、このステップＳ１１９を実行するＣＰＵ２２０は、本発明に係る次順画面付加手段および前順画面付加手段の一例でもある。
【０２２３】
また、ＣＰＵ２２０は、処理をステップＳ１０７からステップＳ１２１に進めた場合、このステップＳ１２１において、前述のユーザ操作としてのもどるボタン１５０の押下に応答して、当該もどるボタン１５０の表示態様をユーザ操作に応じた態様とし、たとえば実際に押下されたような態様とする。そして、ＣＰＵ２２０は、処理をステップＳ１２３に進める。
【０２２４】
ステップＳ１２３において、ＣＰＵ２２０は、今現在の前の設定画面をメイン領域１２０にスライドインさせる。ここで言う前の設定画面とは、用紙選択画面６２０〜決済方法選択画面６７０の各設定画面のいずれかである。これにより、メイン領域１２０にスライドインされた設定画面が、設定対象画面として当該メイン領域１２０の中央に表示される。併せて、メイン領域１２０の右側の余白部分に、当該設定対象画面についての次の設定画面の左側端部が表示される。さらに、当該設定対象画面についての前の設定画面がある場合には、当該前の設定画面の右側端部が、メイン領域１２０の左側の余白部分に表示される。その上で、ＣＰＵ２２０は、処理をステップＳ１０３に戻す。
【０２２５】
なお、このステップＳ１２３は、本発明に係る第１変更手順の一例である。そして、このステップＳ１２３もまた、本発明に係る次順画面付加手順の一例である。さらに、このステップＳ１２３をＣＰＵ２２０が実行することは、本発明に係る第１変更ステップの一例である。そして、このステップＳ１２３をＣＰＵ２２０が実行することもまた、本発明に係る次順画面付加ステップの一例である。加えて、このステップＳ１２３を実行するＣＰＵ２２０は、本発明に係る第１変更手段の一例である。そして、このステップＳ１２３を実行するＣＰＵ２２０もまた、本発明に係る次順画面付加手段および前順画面付加手段の一例である。
【０２２６】
さらに、ＣＰＵ２２０は、処理をステップＳ１０７からステップＳ１２５に進めた場合、このステップＳ１２５において、前述のユーザ操作としてのつぎへボタン１３０の押下に応答して、当該つぎへボタン１３０の表示態様をユーザ操作に応じた態様とし、たとえば実際に押下されたような態様とする。そして、ＣＰＵ２２０は、処理をステップＳ１２７に進める。
【０２２７】
ステップＳ１２７において、ＣＰＵ２２０は、今現在の次の設定画面をメイン領域１２０にスライドインさせる。ここで言う次の設定画面とは、設定確認画面６３０〜決済処理画面６８０の各設定画面のいずれかである。これにより、メイン領域１２０にスライドインされた設定画面が、設定対象画面として当該メイン領域１２０の中央に表示される。併せて、この設定対象画面についての次の画面がある場合には、当該次の画面の左側端部が、メイン領域１２０の右側の余白部分に表示される。さらに、メイン領域１２０の左側の余白部分に、当該設定対象画面についての前の設定画面の右側端部が表示される。その上で、ＣＰＵ２２０は、処理をステップＳ１０３に戻す。
【０２２８】
なお、このステップＳ１２７を実行するＣＰＵ２２０は、本発明に係る第２変更手段の一例である。そして、このステップＳ１２７を実行するＣＰＵ２２０もまた、本発明に係る次順画面付加手段および前順画面付加手段の一例である。さらに、このステップＳ１２７もまた、本発明に係る次順画面付加手順の一例である。加えて、このステップＳ１２７をＣＰＵ２２０が実行することもまた、本発明に係る次順画面付加ステップの一例である。
【０２２９】
そして、ＣＰＵ２２０は、処理をステップＳ１０７からステップＳ１２９に進めた場合、このステップＳ１２９において、前述のユーザ操作としての進行状況バー１４０の押下に応答して、当該進行状況バー１４０の表示態様をユーザ操作に応じた態様とし、たとえば当該進行状況バー１４０の表示態様に適当な変化を与える。そして、ＣＰＵ２２０は、処理をステップＳ１３１に進める。
【０２３０】
ステップＳ１３１において、ＣＰＵ２２０は、前述のユーザ操作として押下された進行状況バー１４０の押下位置に対応する設定画面を、メイン領域１２０にスライドインさせる。ここで言う押下位置に対応する設定画面とは、用紙選択画面６２０〜決済処理画面６８０の各設定画面のいずれかである。これにより、メイン領域１２０にスライドインされた設定画面が、設定対象画面として当該メイン領域１２０の中央に表示される。併せて、この設定対象画面についての次の画面がある場合には、当該次の画面の左側端部が、メイン領域１２０の右側の余白部分に表示される。さらに、当該設定対象画面についての前の設定画面がある場合には、当該前の設定画面の右側端部が、メイン領域１２０の左側の余白部分に表示される。その上で、ＣＰＵ２２０は、処理をステップＳ１０３に戻す。
【０２３１】
なお、このステップＳ１３１もまた、本発明に係る第１変更手順の一例であるとともに、本発明に係る次順画面付加手順の一例である。そして、このステップＳ１３１をＣＰＵ２２０が実行することもまた、本発明に係る第１変更ステップの一例であるとともに、本発明に係る次順画面付加ステップの一例である。さらに、このステップＳ１３１を実行するＣＰＵ２２０もまた、本発明に係る第１変更手段の一例であるとともに、本発明に係る次順画面付加手段および前順画面付加手段の一例である。
【０２３２】
また、ＣＰＵ２２０は、処理をステップＳ７からステップＳ１３３に進めた場合、このステップＳ１３３において、前述のユーザ操作としてのその他の操作に応答して、今現在の設定対象画面の表示態様に適宜の変化を与える。そして、ＣＰＵ２２０は、処理をステップＳ１３５に進める。
【０２３３】
ステップＳ１３５において、ＣＰＵ２２０は、前述のその他の処理を行う。ここで言うその他の処理としては、たとえば今現在の設定対象画面が図２０に示される設定確認画面である場合には、各変更ボタン６３６のいずれか、或いはその他の設定ボタン６３８が押下されたときの処理がある。またたとえば、今現在の設定対象画面が図２６に示される最終確認画面である場合には、読取画像プレビュー領域６６２の各ボタン６６２ｂおよび６６２ｃいずれかが押下されたときの処理や、部数表示領域６６６の印刷部数に関する情報が変更されるときの処理がある。そして、ＣＰＵ２２０は、処理をステップＳ１０３に戻す。
【０２３４】
さらに、ＣＰＵ２２０は、処理を前述のステップＳ１０３からステップＳ１３７に進めた場合、このステップＳ１３７において、印刷を開始する。厳密にはＣＰＵ２２０は、画像形成装置３０のＣＰＵ３１２にコピー開始の指示を与える。そして、ＣＰＵ２２０は、処理をステップＳ１３９に進める。
【０２３５】
なお、このステップＳ１３７は、本発明に係る情報処理手順の一例である。そして、このステップＳ１３７をＣＰＵ２２０が実行することは、本発明に係る情報処理ステップの一例である。さらに、このステップＳ１３７を実行するＣＰＵ２２０は、本発明に係る情報処理手段の一例である。また、このステップＳ１３７において、ＣＰＵ２２０が画像形成装置３０のＣＰＵ３１２にコピー開始の指示を与えることは、本発明に係る所定の情報処理の一例であり、とりわけ画像形成命令処理の一例である。
【０２３６】
ステップＳ１３９において、ＣＰＵ２２０は、前述のステップＳ１３７で開始された印刷が終了するのを、厳密には画像形成装置３０のＣＰＵ３１２からコピー終了の通知が送られてくるのを、待つ（Ｓ１３９−ＮＯ）。この印刷が終了すると（Ｓ１３９−ＹＥＳ）、ＣＰＵ２２０は、処理をステップＳ１３９からステップＳ１４１に進める。
【０２３７】
ステップＳ１４１において、ＣＰＵ２２０は、印刷完了画面７００をメイン領域１２０にスライドインさせる。これにより、印刷完了画面７００が設定対象画面としてメイン領域１２０の中央に表示される。併せて、この印刷完了画面７００についての前の画面である印刷中画面６９０の右側端部が、メイン領域１２０の左側の余白部分に表示される。その上で、ＣＰＵ２２０は、処理をステップＳ１４３に進める。
【０２３８】
ステップＳ１４３において、ＣＰＵ２２０は、一定期間（数秒間）が経過するのを待つ（Ｓ１４３−ＮＯ）。この一定期間が経過すると（Ｓ１４３−ＹＥＳ）、ＣＰＵ２２０は、ディスプレイ２０４の表示面にホーム画面１００を表示させるべく、処理をステップＳ１４３からステップＳ１１３に進める。
【０２３９】
続いて、前述の進行状況表示処理の流れについて、図４７に示されるフロー図を参照して説明する。なお、ＣＰＵ２２０は、用紙選択画面６２０〜印刷完了画面７００の各画面のいずれかがメイン領域１２０にスライドインしたときに、この進行状況表示処理の実行を開始する。
【０２４０】
まず、ＣＰＵ２２０は、ステップＳ２０１において、前の画面があるかどうかを判定する。ここでたとえば、前の画面がある場合（Ｓ２０１−ＹＥＳ）、ＣＰＵ２２０は、処理をステップＳ２０３に進める。一方、前の画面がない場合（Ｓ２０１−ＮＯ）、ＣＰＵ２２０は、処理をステップＳ２０１から後述するステップＳ２０９に進める。
【０２４１】
ステップＳ２０３において、ＣＰＵ２２０は、メイン領域１２０の左側の余白部分に表示されている前の画面の右側端部に適当な修飾を施し、たとえば適当な色彩を付す。そして、ＣＰＵ２２０は、処理をステップＳ２０５に進める。
【０２４２】
ステップＳ２０５において、ＣＰＵ２２０は、メイン領域１２０の中央に表示されている画面が設定画面であるかどうか、つまり用紙選択画面６２０〜決済処理画面６８０の各設定画面のいずれかであるかどうかを、判定する。ここでたとえば、メイン領域１２０の中央に表示されている画面が設定画面である場合（Ｓ２０５−ＹＥＳ）、ＣＰＵ２２０は、処理をステップＳ２０７に進める。一方、メイン領域１２０の中央に表示されている画面が設定画面でない場合（Ｓ２０５−ＮＯ）、つまり当該画面が印刷中画面６９０または印刷完了画面７００である場合、ＣＰＵ２２０は、処理をステップＳ２０５から後述するステップＳ２０９に進める。
【０２４３】
ステップＳ２０７において、ＣＰＵ２２０は、もどるボタン１５０を表示させ、厳密には当該もどるボタン１５０を黒色で明瞭に表示させる。そして、ＣＰＵ２２０は、処理をステップＳ２０９に進める。
【０２４４】
ステップＳ２０９において、次の画面があるかどうかを判定する。ここでたとえば、次の画面がある場合（Ｓ２０９−ＹＥＳ）、ＣＰＵ２２０は、処理をステップＳ２１１に進める。一方、次の画面がない場合（Ｓ２０９−ＮＯ）、ＣＰＵ２２０は、処理をステップＳ２０９から後述するステップＳ２１９に進める。
【０２４５】
ステップＳ２１１において、ＣＰＵ２２０は、次の画面が設定画面であるかどうか、つまり設定確認画面６３０〜決済処理画面６８０の各設定画面のいずれかであるかどうかを、判定する。ここでたとえば、次の画面が設定画面である場合（Ｓ２１１−ＹＥＳ）、ＣＰＵ２２０は、処理をステップＳ２１３に進める。一方、次の画面が設定画面でない場合（Ｓ２１１−ＮＯ）、つまり当該次の画面が印刷中画面６９０または印刷完了画面７００である場合、ＣＰＵ２２０は、処理をステップＳ２１１から後述するステップＳ２１９に進める。
【０２４６】
ステップＳ２１３において、ＣＰＵ２２０は、次の設定画面が操作済であるかどうかを、判定する。この判定は、当該設定操作に従うパラメータが前述のコピー設定データ５５２として記憶されているかどうかに基づいて行われる。ここでたとえば、次の設定画面が設定済である場合（Ｓ２１３−ＹＥＳ）、ＣＰＵ２２０は、処理をステップＳ２１５に進める。一方、次の設定画面が未設定である場合（Ｓ２１３−ＮＯ）、ＣＰＵ２２０は、処理をステップＳ２１３から後述するステップＳ２２１に進める。
【０２４７】
ステップＳ２１５において、ＣＰＵ２２０は、メイン領域１２０の右側の余白部分に表示されている次の画面の左側端部に適当な修飾を施し、たとえば適当な色彩を付す。そして、ＣＰＵ２２０は、処理をステップ２１７に進める。
【０２４８】
ステップＳ２１７において、ＣＰＵ２２０は、つぎへボタン１３０を表示させ、厳密には当該つぎへボタン１３０を黒色で明瞭に表示させる。そして、ＣＰＵ２２０は、処理をステップＳ２１９に進める。
【０２４９】
ステップＳ２１９において、ＣＰＵ２２０は、進行状況バー１４０の表示態様を今現在の設定状況に応じた態様とするべく、当該進行状況バー１４０の表示態様を更新する。これをもって、ＣＰＵ２２０は、進行状況表示処理の実行を終了する。なお厳密に言えば、前述のステップＳ１０１のみならず、このステップＳ２１９をも実行するＣＰＵ２２０が、本発明に係る状況表示子付加手段の一例に当たる。
【０２５０】
また、ＣＰＵ２２０は、処理を前述のステップＳ２１３からステップＳ２２１に進めた場合、このステップＳ２２１において、つぎへボタン１３０をグレーアウト表示させる。その上で、ＣＰＵ２２０は、処理をステップＳ２１９に進める。
【０２５１】
以上説明したように、本第１実施例に係る情報処理システム１０によれば、用紙選択画面６２０をはじめとする複数の設定画面が、予め定められた順番で１つずつ設定対象画面としてメイン領域１２０の中央に表示される。そして、任意の設定画面が設定対象画面としてメイン領域１２０の中央に表示されているときに、次の設定画面がある場合には、当該次の設定画面の左側端部がメイン領域１２０の右側の余白部分に表示される。したがって、ユーザは、次の設定画面の左側端部がメイン領域１２０の右側の余白部分に表示されているかどうかから、当該次の設定画面が存在するのかどうかを、つまり設定操作がまだ続くのかどうかを、直観的に認識することができる。
【０２５２】
また、次の設定画面が設定済である場合には、当該次の設定画面の左側端部に適当な修飾が施される。したがって、ユーザは、次の設定画面の左側端部に当該適用な修飾が施されているかどうかから、当該次の設定画面が設定済であるかどうかを、直観的に認識することができる。
【０２５３】
さらに、次の設定画面が存在する場合には、メイン領域１２０の右側の余白部分に、つぎへボタン１３０が表示される。そして、このつぎへボタン１３０は、次の設定画面が設定済である場合には、黒色で明瞭に表示され、当該次の設定画面が未設定である場合には、グレーアウト表示される。したがって、ユーザは、このつぎへボタン１３０が表示されているかどうかからも、次の設定画面が存在するのかどうかを、つまり設定操作がまだ続くのかどうかを、直観的に認識することができる。併せて、ユーザは、つぎへボタン１３０の表示態様から、次の設定画面が設定済であるかどうかを、直観的に認識することができる。
【０２５４】
加えて、今現在の設定対象画面についての前の設定画面がある場合には、当該前の設定画面の右側端部がメイン領域１２０の左側の余白部分に表示される。したがって、ユーザは、前の設定画面の右側端部がメイン領域１２０の左側の余白部分に表示されているかどうかから、当該前の設定画面が存在するのかどうかを、直観的に認識することができる。
【０２５５】
また、当該前の設定画面が存在する場合には、メイン領域１２０の左側の余白部分に、もどるボタン１５０が表示される。したがって、ユーザは、このもどるボタン１５０が表示されているかどうかからも、前の設定画面が存在するのかどうかを、直観的に認識することができる。
【０２５６】
さらにまた、メイン領域１２０の下側の余白部分に、進行状況バー１４０が表示される。この進行状況バー１４０は、現時点における設定操作の進行状況をグラフィカルに表示する。したがって、ユーザは、この進行状況バー１４０の表示態様から、現時点における設定操作の進行状況を、直観的に認識することができる。
【０２５７】
そして、ユーザは、つぎへボタン１３０、もどるボタン１５０、および進行状況バー１４０を操作することで、設定済の任意の設定画面を設定対象画面として改めてメイン領域１２０の中央に表示させることができる。これはたとえば、設定済の任意の設定画面に係る当該設定操作の内容を確認したり、当該設定操作の内容を変更したりする場合に、有益である。
【０２５８】
このように種々の工夫が施されたコピー受付画面６００がコピー機能に係るユーザインターフェース画面として採用されることで、当該コピー機能を含む情報処理システム１０の操作性の向上が図られる。このような工夫は、コピー機能に限らず、スキャナ機能やファクシミリ機能、さらにはデジタルコンテンツのダウンロード機能などの当該コピー機能以外の機能にも、同様に施すことができる。
【０２５９】
なお、前述の両面コピーモードにおいては、とりわけ２枚目の原稿についての画像の読取結果が、白紙と同様になってしまうことがある。この事象は、たとえば片面にのみ画像が形成された原稿の裏面が、誤って２枚目の原稿の読取面として前述の画像読取部３０２の原稿載置台に載置される場合に、つまりユーザによるミスによって、起こり得る。この場合、図２６に示される最終確認画面６６０においても、２枚目の原稿についてのプレビュー画像６６２ａが、白紙と同様の真っ白な画像となってしまう。このようなユーザによるミスを改めるべく、たとえば図４８に示されるように、最終確認画面６６０が設定対象画面として表示される際に、当該ユーザに対して確認を促す適当なメッセージ画面６６８が表示されるようにしてもよい。
【０２６０】
このメッセージ画面６６８は、たとえばダイアログボックスであり、２枚目の原稿についての画像の読取結果が白紙と同様であると見なされる場合に表示される。このメッセージ画面６６８には、ユーザに対して確認を促す適当なメッセージを表す文字列が記される。併せて、このメッセージ画面６６８には、「ＯＫ」という文字列が記されたボタン、言わばＯＫボタン６６８ａが、設けられる。
【０２６１】
ユーザは、このメッセージ画面６６８の表示を受けて、２枚目の原稿についての画像の読取結果が白紙と同様であること、つまり当該２枚目の原稿について何らかの不適切な点があることを、直観的に認識することができる。この場合、メッセージ画面６６８のＯＫボタン６６８ａが押下されると、当該メッセージ画面６６８が消える。そして、もどるボタン１５０が押下されると、前の設定画面である２枚目原稿読み込み画面６５０が操作対象画面としてメイン領域１２０に表示される。これにより、２枚目の原稿についての画像の読取処理を改めて行うことが可能となり、当該２枚目の原稿についての不適切な点を是正することができる。なお、１枚目の原稿についても、これと同様の対策を講ずることができる。
【０２６２】
また、図２８に示される決済方法選択画面６７０に代えて、図４９に示されるような決済方法選択画面８００が表示されてもよい。この図４９に示される決済方法選択画面８００においては、２つのボタン８０２および８０２が横並びに設けられる。これら２つのボタン８０２および８０２の一方、たとえば左側のボタン８０２は、現金による決済方法に対応する。そして、右側のボタン８０２は、電子マネーによる決済方法に対応する。すなわち、図２８に示される決済方法選択画面６７０においては、４種類の電子マネーＡ〜Ｄによる決済方法に対応して４つのボタン６７２，６７２，…が設けられるが、この図４９に示される決済方法選択画面８００においては、電子マネーによる決済方法に対応するボタン８０２が１つのみ設けられる。
【０２６３】
この図４９に示される決済方法選択画面８００において、たとえば右側のボタン８０２が押下された場合、次の操作対象画面として、図５０に示されるような決済処理画面８１０が表示されてもよい。この図５０に示される決済処理画面８１０においては、４つのリーダ／ライタ領域８１２，８１２，…が設けられる。これら４つのリーダ／ライタ領域８１２，８１２，…は、それぞれ前述の４種類の電子マネーＡ〜Ｄによる決済方法に対応する。そして、これら４つのリーダ／ライタ領域８１２，８１２，…には、それぞれの電子マネーＡ〜Ｄに対応する不図示の透明アンテナが組み込まれている。なお、これら４つのリーダ／ライタ領域８１２，８１２，…は、縦方向に２行、横方向に２列の並びで設けられているが、この並びに限定されない。この図５０に示される決済処理画面８１０によれば、決済処理の際に、当該決済処理に用いられる電子マネーの種類が区別される。
［第２実施例］
次に、本発明の第２実施例について、図５１を参照して説明する。なお、本第２実施例は、前述の第１実施例と比較して、つぎへボタン１３０の表示の有無のみが異なる。したがって、本第２実施例において、第１実施例と同様の部分については、それらの説明を省略する。
【０２６４】
図５１は、本第２実施例における用紙選択画面６２０を含むコピー受付画面６００の一例である。この図５１に示されるコピー受付画面６００においては、つぎへボタン１３０が表示されていない。すなわち、今現在の設定対象画面が未設定である場合には、つまりつぎへボタン１３０の押下によって次の設定画面に進むことができない場合には、当該つぎへボタン１３０が非表示とされる。
【０２６５】
このような本第２実施例によれば、ユーザは、つぎへボタン１３０が表示されているかどうかから、今現在の設定対象画面が設定済であるかどうかを、つまりつぎへボタン１３０の押下によって次の設定画面に進むことができるかどうかを、直観的に認識することができる。そして、本第２実施例によれば、第１実施例と同様、コピー機能を含む情報処理システム１０の操作性の向上が図られる。
［第３実施例］
次に、本発明の第３実施例について、図５２〜図５５を参照して説明する。なお、本第３実施例は、第１実施例と比較して、つぎへボタン１３０の表示態様のみが異なる。したがって、本第３実施例においても、第１実施例と同様の部分については、それらの説明を省略する。
【０２６６】
図５２は、本第２実施例における用紙選択画面６２０を含むコピー受付画面６００の一例である。この図５２に示されるコピー受付画面６００においては、つぎへボタン１３０の他に、「２つつぎへ」という文字列がその近傍に記されたボタン、言わば２つつぎへボタン１３０ａが、設けられる。この２つつぎへボタン１３０ａは、２つ次の設定画面、つまり図５２の状態においては１枚目原稿読み込み画面６４０に、進む（ジャンプする）ための操作子である。ただし、次の設定画面が設定済である場合のみ、この２つつぎへボタン１３０ａの操作が可能であり、そうでない場合には、当該２つつぎへボタン１３０はグレーアウト表示され、つまりユーザ操作を受け付けない言わば無効化された状態にある。
【０２６７】
なお、図５３は、つぎへボタン１３０については、有効化されているものの、２つつぎへボタン１３０ａについては、無効化されている状態を示す。この図５３に示される状態によれば、ユーザは、今現在の設定対象画面である用紙選択画面６２０については、設定済であるものの、２つ次の設定画面である１枚目原稿読み込み画面６４０については、未設定であることを、直観的に認識することができる。したがって、ユーザは、つぎへボタン１３０の押下によって、次の設定画面である１枚目原稿読み込み画面６４０に進むことはできるが、２つつぎへボタン１３０ａの押下によって、２つ次の設定画面である１枚目原稿読み込み画面６４０には進むことができない。
【０２６８】
また、図５４は、つぎへボタン１３０および２つつぎへボタン１３０ａのいずれについても、有効化されている状態を示す。この図５４に示される状態によれば、ユーザは、今現在の設定対象画面である用紙選択画面６２０については、設定済であり、２つ次の設定画面である１枚目原稿読み込み画面６４０についても、設定済であることを、直観的に認識することができる。したがって、ユーザは、つぎへボタン１３０の押下によって、次の設定画面である１枚目原稿読み込み画面６４０に進むことができる。そして、ユーザは、２つつぎへボタン１３０ａの押下によって、２つ次の設定画面である１枚目原稿読み込み画面６４０に進むことができる。
【０２６９】
この２つつぎへボタン１３０ａと同様に、たとえば図５５に示されるように、２つもどるボタン１５０ａが設けられてもよい。この２つもどるボタン１５０ａは、２つ前の設定画面、つまり図５５の状態においては用紙選択画面６２０に、戻る（ジャンプする）ための操作子である。そのために、この２つもどるボタン１５０ａの近傍には、「２つもどる」という文字列が記されている。この２つもどるボタン１５０ａが設けられた図５５に示される状態においては、ユーザは、当該２つもどるボタン１５０ａの押下によって、２つ前の設定画面である用紙設定画面６２０に戻ることができる。そして、ユーザは、もどるボタン１５０の押下によって、前述と同様、前の設定画面である設定確認画面６３０に戻ることができる。
【０２７０】
このように２つつぎへボタン１３０ａおよび２つもどるボタン１５０ａが設けられる本第３実施例によれば、情報処理システム１０の操作性のさらなる向上が図られる。
【０２７１】
なお、図示は省略するが、設定確認画面６３０が設定対象画面である状態においては、２つもどるボタン１５０ａは設けられない。そして、決済方法選択画面６７０が設定対象画面である状態においては、２つつぎへボタン１３０ａは設けられない。
【０２７２】
以上の各実施例は、本発明の具体例であり、本発明の技術的範囲を限定するものではない。これら各実施例以外の局面にも、本発明を適用することができる。
【０２７３】
たとえば、前述の各実施例においては、各設定画面６２０〜６８０についての設定操作が進むに連れて、当該各設定画面６２０〜６８０が右側から左側へスライドするように構成されたが、これに限らない。たとえば、各設定画面６２０〜６８０が左側から右側へスライドするように構成されてもよいし、当該各設定画面６２０〜６８０が上下方向にスライドするように構成されてもよい。
【０２７４】
また、つぎへボタン１３０およびもどるボタン１５０の押下に代えて、たとえばディスプレイ２０４の表示面に指を置いた状態で当該指を特定の方向に動かす、いわゆるスワイプ操作や、当該指を特定の方向にはらう、いわゆるフリック操作が、採用されてもよい。
【０２７５】
加えて、前述の各実施例においては、ＭＭＫである情報処理装置２０を備える情報処理システム１０に本発明が適用される場合を例に挙げて説明したが、これ以外の装置にも、本発明を適用することができる。
【符号の説明】
【０２７６】
１０  …情報処理システム
２０  …情報処理装置
３０  …画像形成装置
１３０  …つぎへボタン
１４０  …進行状況バー
１５０  …もどるボタン
２０２  …タッチパネル
２０４  …ディスプレイ
２２０  …ＣＰＵ
６００  …コピー受付画面
６２０  …用紙選択画面
６３０  …設定確認画面
６４０  …１枚目原稿読み込み画面
６５０  …２枚目原稿読み込み画面
６６０  …最終確認画面
６７０  …決済方法選択画面
６８０  …決済処理画面
【図１】
2019074937.tif 000003
【図２】
2019074937.tif 000004
【図３】
2019074937.tif 000005
【図４】
2019074937.tif 000006
【図５】
2019074937.tif 000007
【図６】
2019074937.tif 000008
【図７】
2019074937.tif 000009
【図８】
2019074937.tif 000010
【図９】
2019074937.tif 000011
【図１０】
2019074937.tif 000012
【図１１】
2019074937.tif 000013
【図１２】
2019074937.tif 000014
【図１３】
2019074937.tif 000015
【図１４】
2019074937.tif 000016
【図１５】
2019074937.tif 000017
【図１６】
2019074937.tif 000018
【図１７】
2019074937.tif 000019
【図１８】
2019074937.tif 000020
【図１９】
2019074937.tif 000021
【図２０】
2019074937.tif 000022
【図２１】
2019074937.tif 000023
【図２２】
2019074937.tif 000024
【図２３】
2019074937.tif 000025
【図２４】
2019074937.tif 000026
【図２５】
2019074937.tif 000027
【図２６】
2019074937.tif 000028
【図２７】
2019074937.tif 000029
【図２８】
2019074937.tif 000030
【図２９】
2019074937.tif 000031
【図３０】
2019074937.tif 000032
【図３１】
2019074937.tif 000033
【図３２】
2019074937.tif 000034
【図３３】
2019074937.tif 000035
【図３４】
2019074937.tif 000036
【図３５】
2019074937.tif 000037
【図３６】
2019074937.tif 000038
【図３７】
2019074937.tif 000039
【図３８】
2019074937.tif 000040
【図３９】
2019074937.tif 000041
【図４０】
2019074937.tif 000042
【図４１】
2019074937.tif 000043
【図４２】
2019074937.tif 000044
【図４３】
2019074937.tif 000045
【図４４】
2019074937.tif 000046
【図４５】
2019074937.tif 000047
【図４６】
2019074937.tif 000048
【図４７】
2019074937.tif 000049
【図４８】
2019074937.tif 000050
【図４９】
2019074937.tif 000051
【図５０】
2019074937.tif 000052
【図５１】
2019074937.tif 000053
【図５２】
2019074937.tif 000054
【図５３】
2019074937.tif 000055
【図５４】
2019074937.tif 000056
【図５５】
2019074937.tif 000057